(57)【要約】  いくつかの本開示の態様は、複数接続性構成においてベアラデータをマッピングすることに関する。第１のタイプのベアラを介した送信のために利用可能な第１のデータの第１の部分が、第１の基地局から許可された第１のアップリンクリソースにマッピングされ得、ここにおいて、第１のタイプのベアラは、第１の基地局と第２の基地局とを使用する送信のために構成される。次いで、第１のデータの第１の部分をマッピングした後に第１のアップリンクリソースの残りの部分が利用可能であるかどうかが決定され得る。利用可能である場合、第１のアップリンクリソースの残りの部分が利用可能であると決定したことに少なくとも部分的に基づいて、第２のタイプのベアラからの第２のデータが第１のアップリンクリソースの残りの部分の少なくとも第１の部分にマッピングされ得る。これにより、場合によっては、第２のタイプのベアラのためのデータもアップリンクリソースを介して送信されることが保証され得る。
2017513368.tif 000002
【特許請求の範囲】
【請求項１】
第１のタイプのベアラを介した送信のために利用可能な第１のデータの第１の部分を、第１の基地局から許可された第１のアップリンクリソースにマッピングすることと、ここにおいて、前記第１のタイプのベアラが、前記第１の基地局と第２の基地局とを使用する送信のために構成され、
前記第１のデータの前記第１の部分をマッピングすることの後に前記第１のアップリンクリソースの残りの部分が利用可能であるかどうかを決定することと、
前記第１のアップリンクリソースの前記残りの部分が利用可能であると決定することに少なくとも部分的に基づいて、第２のタイプのベアラからの第２のデータを前記第１のアップリンクリソースの前記残りの部分の少なくとも第１の部分にマッピングすることと
を備える、ワイヤレス通信のための方法。
【請求項２】
前記第２のデータをマッピングすることの後に前記第１のアップリンクリソースの第２の残りの部分が利用可能であるかどうかを決定することと、
前記第１のアップリンクリソースの前記第２の残りの部分が利用可能であると決定することに少なくとも部分的に基づいて、前記第１のタイプのベアラを介した送信のために利用可能な前記第１のデータの第２の部分を前記第１のアップリンクリソースにマッピングすることと
をさらに備える、請求項１に記載の方法。
【請求項３】
前記第１のデータの前記第１の部分を前記マッピングすることが、前記第１のタイプのベアラに関係するトークンバケット中の利用可能なトークンの断片を利用することに少なくとも部分的に基づく、請求項１に記載の方法。
【請求項４】
前記トークンバケットが、前記第１の基地局の前記第１のアップリンクリソースと前記第２の基地局の第２のアップリンクリソースとを介して前記第１のタイプのベアラにサービス品質を提供するのに利用される共通のトークンバケットである、請求項３に記載の方法。
【請求項５】
前記第１のタイプのベアラについてのバッファステータス報告の断片に少なくとも部分的に基づいて、利用可能なトークンの前記断片を決定することをさらに備える、請求項４に記載の方法。
【請求項６】
前記第１のアップリンクリソースを介して前記第１の基地局についての基地局固有データをマッピングするために利用可能なトークンの数を予約することに部分的に基づいて、前記利用可能なトークンの前記断片を決定することをさらに備える、請求項４に記載の方法。
【請求項７】
前記第１の基地局との第１のリンクおよび前記第２の基地局との第２のリンクを介したそれぞれの達成可能なスループットに少なくとも部分的に基づいて、利用可能なトークンの前記断片を決定することをさらに備える、請求項４に記載の方法。
【請求項８】
前記第２のタイプのベアラのための別のトークンバケット中のトークンの数がしきい値レベルを上回ると決定することに少なくとも部分的に基づいて、利用可能なトークンの前記断片を決定することをさらに備える、請求項３に記載の方法。
【請求項９】
前記第１のタイプのベアラの他のデータを、前記第２の基地局から許可された第２のアップリンクリソースにマッピングするのに利用するための第２のトークンバケットをさらに備える、請求項３に記載の方法。
【請求項１０】
前記第２のトークンバケットからのトークンの一部分を利用することに少なくとも部分的に基づいて、前記第１のデータの第２の部分を、前記第１の基地局から許可された前記第１のアップリンクリソースにマッピングすることをさらに備える、請求項９に記載の方法。
【請求項１１】
前記第２のトークンバケットからのトークンの前記一部分を利用することは、最小数のトークンが前記第２のトークンバケット中に残っていることを保証することを備える、請求項１０に記載の方法。
【請求項１２】
前記第２のタイプのベアラからの前記第２のデータを、前記第１の基地局から許可された前記アップリンクリソースにマッピングすることに少なくとも部分的に基づいて、前記第１のデータの前記第２の部分をマッピングする際に前記第２のトークンバケット中のトークンの前記一部分を利用すると決定することをさらに備える、請求項１０に記載の方法。
【請求項１３】
前記第１の基地局に前記第１のアップリンクリソースを介してマッピングされた前記第１のデータの前記第１の部分と前記第２のデータとを送信することをさらに備える、請求項１に記載の方法。
【請求項１４】
前記第１のタイプのベアラが前記第２のタイプのベアラよりも高い優先度である、請求項１に記載の方法。
【請求項１５】
第１のタイプのベアラを介した送信のために利用可能な第１のデータの第１の部分を、第１の基地局から許可された第１のアップリンクリソースにマッピングするように構成されたスプリットベアラデータマッピング構成要素と、ここにおいて、前記第１のタイプのベアラが、前記第１の基地局と第２の基地局とを使用する送信のために構成され、
前記第１のデータの前記第１の部分をマッピングした後に前記第１のアップリンクリソースの残りの部分が利用可能であるかどうかを決定し、前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングするように構成されたｅノードＢ固有ベアラデータマッピング構成要素と
を備える、ワイヤレス通信のための装置。
【請求項１６】
前記スプリットベアラデータマッピング構成要素は、前記第２のデータをマッピングした後に前記第１のアップリンクリソースの第２の残りの部分が利用可能であるかどうかを決定し、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングするようにさらに構成された、請求項１５に記載の装置。
【請求項１７】
前記スプリットベアラデータマッピング構成要素が、前記第１のタイプのベアラに関係するトークンバケット中の利用可能なトークンの断片を利用することに少なくとも部分的に基づいて前記第１のデータの前記第１の部分をマッピングするように構成された、請求項１５に記載の装置。
【請求項１８】
前記トークンバケットが、前記第１の基地局の前記第１のアップリンクリソースと前記第２の基地局の第２のアップリンクリソースとを介して前記第１のタイプのベアラにサービス品質を提供するのに利用される共通のトークンバケットである、請求項１７に記載の装置。
【請求項１９】
前記スプリットベアラデータマッピング構成要素が、前記第１のタイプのベアラについてのバッファステータス報告の断片、前記第１のアップリンクリソースを介して前記第１の基地局についての基地局固有データをマッピングするために利用可能なトークンの数を予約すること、または前記第１の基地局との第１のリンクおよび前記第２の基地局との第２のリンクを介したそれぞれの達成可能なスループットのうちの少なくとも１つに少なくとも部分的に基づいて、前記利用可能なトークンの前記断片を決定するように構成された、請求項１８に記載の装置。
【請求項２０】
前記スプリットベアラデータマッピング構成要素は、前記第２のタイプのベアラのための別のトークンバケット中のトークンの数がしきい値レベルを上回ると決定したことに少なくとも部分的に基づいて、利用可能なトークンの前記断片を決定するように構成された、請求項１７に記載の装置。
【請求項２１】
前記第１のタイプのベアラの他のデータを、前記第２の基地局から許可された第２のアップリンクリソースにマッピングするのに利用するための第２のトークンバケットをさらに備える、請求項１７に記載の装置。
【請求項２２】
前記スプリットベアラデータマッピング構成要素が、前記第２のトークンバケットからのトークンの一部分を利用することに少なくとも部分的に基づいて、前記第１のデータの第２の部分を、前記第１の基地局から許可された前記第１のアップリンクリソースにマッピングするように構成された、請求項２１に記載の装置。
【請求項２３】
前記スプリットベアラデータマッピング構成要素は、少なくとも部分的には、最小数のトークンが前記第２のトークンバケット中に残っていることを保証することによって、前記第２のトークンバケットからのトークンの前記一部分を利用するように構成された、請求項２２に記載の装置。
【請求項２４】
前記スプリットベアラデータマッピング構成要素は、前記第２のタイプのベアラからの前記第２のデータを、前記第１の基地局から許可された前記アップリンクリソースにマッピングすることに少なくとも部分的に基づいて、前記第１のデータの前記第２の部分をマッピングするのに前記第２のトークンバケット中のトークンの前記一部分を利用するように構成された、請求項２２に記載の装置。
【請求項２５】
第１のタイプのベアラを介した送信のために利用可能な第１のデータの第１の部分を、第１の基地局から許可された第１のアップリンクリソースにマッピングするための手段と、ここにおいて、前記第１のタイプのベアラが、前記第１の基地局と第２の基地局とを使用する送信のために構成され、
前記第１のデータの前記第１の部分をマッピングした後に前記第１のアップリンクリソースの残りの部分が利用可能であるかどうかを決定するための手段と、
前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングするための手段と
を備える、ワイヤレス通信のための装置。
【請求項２６】
決定するための前記手段は、前記第２のデータをマッピングした後に前記第１のアップリンクリソースの第２の残りの部分が利用可能であるかどうかを決定し、前記第１のデータの前記第１の部分をマッピングするための前記手段は、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングする、請求項２５に記載の装置。
【請求項２７】
前記第１のデータの前記第１の部分をマッピングするための前記手段が、前記第１のタイプのベアラに関係するトークンバケット中の利用可能なトークンの断片を利用することに少なくとも部分的に基づいて前記第１のデータの前記第１の部分をマッピングする、請求項２５に記載の装置。
【請求項２８】
第１のタイプのベアラを介した送信のために利用可能な第１のデータの第１の部分を、第１の基地局から許可された第１のアップリンクリソースにマッピングすることを少なくとも１つのコンピュータに行わせるためのコードと、ここにおいて、前記第１のタイプのベアラが、前記第１の基地局と第２の基地局とを使用する送信のために構成され、
前記第１のデータの前記第１の部分をマッピングした後に前記第１のアップリンクリソースの残りの部分が利用可能であるかどうかを決定することを前記少なくとも１つのコンピュータに行わせるためのコードと、
前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングすることを前記少なくとも１つのコンピュータに行わせるためのコードと
を備える非一時的コンピュータ可読記憶媒体。
【請求項２９】
決定することを前記少なくとも１つのコンピュータに行わせるための前記コードは、前記第２のデータをマッピングした後に前記第１のアップリンクリソースの第２の残りの部分が利用可能であるかどうかを決定し、前記第１のデータの前記第１の部分をマッピングすることを前記少なくとも１つのコンピュータに行わせるための前記コードは、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングする、請求項２８に記載のコンピュータ可読媒体。
【請求項３０】
前記第１のデータの前記第１の部分をマッピングすることを前記少なくとも１つのコンピュータに行わせるための前記コードが、前記第１のタイプのベアラに関係するトークンバケット中の利用可能なトークンの断片を利用することに少なくとも部分的に基づいて前記第１のデータの前記第１の部分をマッピングする、請求項２８に記載のコンピュータ可読媒体。
【発明の詳細な説明】
【技術分野】
【０００１】
優先権の主張
[0001]本特許出願は、本出願の譲受人に譲渡され、参照により本明細書に明確に組み込まれる、２０１５年１月８日に出願された「ＴＥＣＨＮＩＱＵＥＳ  ＦＯＲ  ＢＥＡＲＥＲ  ＰＲＩＯＲＩＴＩＺＡＴＩＯＮ  ＡＮＤ  ＤＡＴＡ  ＭＡＰＰＩＮＧ  ＩＮ  ＭＵＬＴＩＰＬＥ  ＣＯＮＮＥＣＴＩＶＩＴＹ  ＷＩＲＥＬＥＳＳ  ＣＯＭＭＵＮＩＣＡＴＩＯＮＳ」と題する非仮出願第１４／５９２，６４３号、および２０１４年３月２１日に出願された「ＴＥＣＨＮＩＱＵＥＳ  ＦＯＲ  ＭＡＰＰＩＮＧ  ＢＥＡＲＥＲ  ＰＲＩＯＲＩＴＩＺＡＴＩＯＮ  ＡＮＤ  ＤＡＴＡ  ＭＡＰＰＩＮＧ  ＩＮ  ＭＵＬＴＩＰＬＥ  ＣＯＮＮＥＣＴＩＶＩＴＹ  ＷＩＲＥＬＥＳＳ  ＣＯＭＭＵＮＩＣＡＴＩＯＮＳ」と題する仮出願第６１／９６９，０１２号の優先権を主張する。
【０００２】
[0002]本開示は、たとえば、ワイヤレス通信システムに関し、より詳細には、複数接続性ワイヤレス通信においてデータをマッピングするための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局（たとえば、ｅノードＢ）を含み得る。ＵＥは、ダウンリンクとアップリンクとを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]ワイヤレス通信の性能を改善するために、ＵＥが、複数の基地局からの複数のアップリンク許可を介してそれらの基地局と同時に通信することを可能にすることが望ましいことがあり、これは、複数接続性（multiple connectivity）、またはより具体的には、デュアル接続性（dual connectivity）と呼ばれることがあり、ここで、ＵＥは、２つの基地局からのアップリンク許可を介して通信する。その上、複数のベアラが、複数の基地局を介してＵＥとワイヤレスネットワークとの間の通信を可能にするように構成され得、場合によっては、所与のベアラは、複数の基地局にデータを送信するためにスプリットされ得る。この構成は、複数の基地局を使用して一定のサービス品質（ＱｏＳ）を提供することを可能にすることができるが、特に、他のベアラが存在し、基地局のうちの１つまたは複数で構成され、少なくとも一定のＱｏＳをも必要とする場合、ベアラを介する通信を管理することに関係する複雑さをも生じ得る。
【０００６】
[0006]上記に鑑みて、ＵＥとｅＮＢとの間の複数接続性の現在の設計に関連して重大な問題および短所があり得ることが理解されよう。
【発明の概要】
【０００７】
[0007]本開示の態様は、一般にワイヤレス通信に関し、より詳細には、複数接続性ワイヤレス通信においてデータをリソースにマッピングするための技法に関する。たとえば、データを少なくとも２つの基地局からのアップリンクリソース許可にマッピングするための技法について本明細書で説明する。この点について、複数接続性ワイヤレス通信では、ワイヤレスデバイスは、少なくとも２つの基地局（たとえば、ｅノードＢおよび／またはアクセスポイント（ＡＰ）、またはそれらの組合せ）に通信可能に接続され得る。
【０００８】
[0008]一態様によれば、ワイヤレスデバイス（たとえば、ユーザ機器（ＵＥ））が、ワイヤレスネットワークにおいて、複数の基地局（たとえば、マスタｅノードＢ（ＭｅノードＢまたはＭｅＮＢ：master eNodeB）および少なくとも１つの２次ｅノードＢ（ＳｅノードＢまたはＳｅＮＢ：secondary eNodeB））と通信し得る。また、ワイヤレスデバイスが複数の基地局を介してワイヤレスネットワーク中で通信するのに、複数のベアラが構成され得る。たとえば、複数のベアラは、単一の基地局で（たとえば、その単一の基地局からのリソースを使用して）構成されたベアラ、および／または複数の基地局で（たとえば、複数の基地局のリソースを使用して）構成されたスプリットベアラを含み得る。複数のベアラの各々は、それらの複数のベアラの各々に関連する異なる優先度を有し得る。たとえば、ＵＥは、より低い優先度をもつ第２のベアラ（たとえば、単一のベアラ）よりも高い優先度をもつ第１のベアラ（たとえば、スプリットベアラ）で構成され得る。一例では、第１のベアラに関連するより高い優先度のために、第２のベアラの前に、第１のベアラ（たとえば、より高い優先度）がサービスされ得る（たとえば、第１のベアラデータを、論理アップリンクチャネルに対応する送信リソースにマッピングする）。この例では、サービスされるべき第２のベアラのサービス品質（ＱｏＳ）のレベルを保証する（たとえば、第２のベアラデータを送信リソースにマッピングする）ために、ワイヤレスデバイスは、第１のベアラ（たとえば、スプリットベアラ）のためのすべての利用可能なデータをリソースにわたってマッピングする代わりに、第１のベアラ（たとえば、スプリットベアラ）のための利用可能なデータの断片（fraction）を複数の基地局のうちの１つのリソースにマッピングすることができる。一例では、マッピングされるべき第１のベアラの利用可能なデータの少なくとも一部分は、トークンバケットアルゴリズムに少なくとも部分的に基づいて決定され得る。たとえば、マッピングされるべき第１のベアラの利用可能なデータの少なくとも一部分は、トークンバケット中の利用可能なトークンの部分に少なくとも部分的に基づいて決定され得る。この点について、複数の基地局のうちの１つのリソースの残りの部分は、第２のベアラのデータをマッピングするために使用され得る。
【０００９】
[0009]一態様によれば、ワイヤレス通信におけるベアラ優先度付けおよびデータマッピングのための方法について説明する。本方法は、第１のタイプのベアラを介した送信のために利用可能な第１のデータの第１の部分を、第１の基地局から許可された第１のアップリンクリソースにマッピングすることと、ここにおいて、第１のタイプのベアラが、第１の基地局と第２の基地局とを使用する送信のために構成され、第１のデータの第１の部分をマッピングすることの後に第１のアップリンクリソースの残りの部分が利用可能であるかどうかを決定することと、第１のアップリンクリソースの残りの部分が利用可能であると決定することに少なくとも部分的に基づいて、第２のタイプのベアラからの第２のデータを第１のアップリンクリソースの残りの部分の少なくとも第１の部分にマッピングすることとを含む。
【００１０】
[0010]その上、たとえば、本方法はまた、第２のデータをマッピングすることの後に第１のアップリンクリソースの第２の残りの部分が利用可能であるかどうかを決定することと、第１のアップリンクリソースの第２の残りの部分が利用可能であると決定することに少なくとも部分的に基づいて、第１のタイプのベアラを介した送信のために利用可能な第１のデータの第２の部分を第１のアップリンクリソースにマッピングすることとを含み得る。本方法はまた、ここにおいて、第１のデータの第１の部分をマッピングすることが、第１のタイプのベアラに関係するトークンバケット中の利用可能なトークンの断片を利用することに少なくとも部分的に基づく、を含むことができる。本方法は、ここにおいて、トークンバケットが、第１の基地局の第１のアップリンクリソースと第２の基地局の第２のアップリンクリソースとを介して第１のタイプのベアラにサービス品質を提供するのに利用される共通のトークンバケットである、をさらに含み得る。本方法はまた、第１のタイプのベアラについてのバッファステータス報告の断片に少なくとも部分的に基づいて、利用可能なトークンの断片を決定することを含むことができる。本方法はまた、第１のアップリンクリソースを介して第１の基地局についての基地局固有データをマッピングするために利用可能なトークンの数を予約することに部分的に基づいて、利用可能なトークンの断片を決定することを含み得る。さらに、たとえば、本方法は、第１の基地局との第１のリンクおよび第２の基地局との第２のリンクを介したそれぞれの達成可能なスループットに少なくとも部分的に基づいて、利用可能なトークンの断片を決定することを含み得る。他の態様では、本方法は、第２のタイプのベアラのための別のトークンバケット中のトークンの数がしきい値レベルを上回ると決定することに少なくとも部分的に基づいて、利用可能なトークンの断片を決定することを含み得る。さらに、本方法は、第１のタイプのベアラの他のデータを、第２の基地局から許可された第２のアップリンクリソースにマッピングするのに利用するための第２のトークンバケットを含み得る。本方法はまた、第２のトークンバケットからのトークンの一部分を利用することに少なくとも部分的に基づいて、第１のデータの第２の部分を、第１の基地局から許可された第１のアップリンクリソースにマッピングすることを含み得る。本方法は、ここにおいて、第２のトークンバケットからのトークンの一部分を利用することが、最小数のトークンが第２のトークンバケット中に残っていることを保証することを備える、をさらに含み得る。本方法はまた、第２の基地局から許可されたアップリンクリソース上への基地局固有データのマッピングを可能にするために、第２のトークンバケットからのトークンの一部分を利用するとき、第２のトークンバケット中のトークンの最小数を保証することを含み得る。また、本方法は、第２のタイプのベアラからの第２のデータを、第１の基地局から許可されたアップリンクリソースにマッピングすることに少なくとも部分的に基づいて、第１のデータの第２の部分をマッピングする際に第２のトークンバケット中のトークンの部分を利用すると決定することを含み得る。本方法は、第１の基地局に第１のアップリンクリソースを介してマッピングされた第１のデータの第１の部分と第２のデータとを送信することをさらに含むことができる。本方法は、ここにおいて、第１のタイプのベアラが第２のタイプのベアラよりも高い優先度である、を含み得る。
【００１１】
[0011]別の態様では、ワイヤレス通信におけるベアラ優先度付けおよびデータマッピングのための装置が提供される。本装置は、第１のタイプのベアラを介した送信のために利用可能な第１のデータの第１の部分を、第１の基地局から許可された第１のアップリンクリソースにマッピングするように構成されたスプリットベアラデータマッピング構成要素を含み、ここにおいて、第１のタイプのベアラは、第１の基地局と第２の基地局とを使用する送信のために構成される。本装置はまた、第１のデータの第１の部分をマッピングした後に第１のアップリンクリソースの残りの部分が利用可能であるかどうかを決定し、第１のアップリンクリソースの残りの部分が利用可能であると決定したことに少なくとも部分的に基づいて、第２のタイプのベアラからの第２のデータを第１のアップリンクリソースの残りの部分の少なくとも第１の部分にマッピングするように構成されたｅノードＢ固有ベアラデータマッピング構成要素を含む。
【００１２】
[0012]本装置は、ここにおいて、スプリットベアラデータマッピング構成要素が、第２のデータをマッピングした後に第１のアップリンクリソースの第２の残りの部分が利用可能であるかどうかを決定し、第１のアップリンクリソースの第２の残りの部分が利用可能であると決定したことに少なくとも部分的に基づいて、第１のタイプのベアラを介した送信のために利用可能な第１のデータの第２の部分を第１のアップリンクリソースにマッピングするようにさらに構成される、を含み得る。本装置は、ここにおいて、スプリットベアラデータマッピング構成要素が、第１のタイプのベアラに関係するトークンバケット中の利用可能なトークンの断片を利用することに少なくとも部分的に基づいて第１のデータの第１の部分をマッピングするように構成される、をさらに含み得る。本装置は、ここにおいて、トークンバケットが、第１の基地局の第１のアップリンクリソースと第２の基地局の第２のアップリンクリソースとを介して第１のタイプのベアラにサービス品質を提供するのに利用される共通のトークンバケットである、をさらに含み得る。さらに、本装置は、ここにおいて、スプリットベアラデータマッピング構成要素が、第１のタイプのベアラについてのバッファステータス報告の断片、第１のアップリンクリソースを介して第１の基地局についての基地局固有データをマッピングするために利用可能なトークンの数を予約すること、または第１の基地局との第１のリンクおよび第２の基地局との第２のリンクを介したそれぞれの達成可能なスループットのうちの少なくとも１つに少なくとも部分的に基づいて、利用可能なトークンの断片を決定するように構成される、を含み得る。本装置はまた、ここにおいて、スプリットベアラデータマッピング構成要素が、第２のタイプのベアラのための別のトークンバケット中のトークンの数がしきい値レベルを上回ると決定したことに少なくとも部分的に基づいて、利用可能なトークンの断片を決定するように構成される、を含み得る。さらに、本装置は、第１のタイプのベアラの他のデータを、第２の基地局から許可された第２のアップリンクリソースにマッピングするのに利用するための第２のトークンバケットを含み得る。本装置は、ここにおいて、スプリットベアラデータマッピング構成要素が、第２のトークンバケットからのトークンの一部分を利用することに少なくとも部分的に基づいて、第１のデータの第２の部分を、第１の基地局から許可された第１のアップリンクリソースにマッピングするように構成される、をさらに含み得る。また、本装置は、ここにおいて、スプリットベアラデータマッピング構成要素が、少なくとも部分的には、最小数のトークンが第２のトークンバケット中に残っていることを保証することによって、第２のトークンバケットからのトークンの一部分を利用するように構成される、を含み得る。さらに、本装置は、ここにおいて、スプリットベアラデータマッピング構成要素が、第２のタイプのベアラからの第２のデータを、第１の基地局から許可されたアップリンクリソースにマッピングすることに少なくとも部分的に基づいて、第１のデータの第２の部分をマッピングするのに第２のトークンバケット中のトークンの一部分を利用するように構成される、を含み得る。
【００１３】
[0013]また、さらなる態様では、第１のタイプのベアラを介した送信のために利用可能な第１のデータの第１の部分を、第１の基地局から許可された第１のアップリンクリソースにマッピングするための手段と、ここにおいて、第１のタイプのベアラが、第１の基地局と第２の基地局とを使用する送信のために構成され、第１のデータの第１の部分をマッピングした後に第１のアップリンクリソースの残りの部分が利用可能であるかどうかを決定するための手段と、第１のアップリンクリソースの残りの部分が利用可能であると決定したことに少なくとも部分的に基づいて、第２のタイプのベアラからの第２のデータを第１のアップリンクリソースの残りの部分の少なくとも第１の部分にマッピングするための手段とを含む、ワイヤレス通信におけるベアラ優先度付けおよびデータマッピングのための装置について説明する。
【００１４】
[0014]本装置はまた、ここにおいて、決定するための手段が、第２のデータをマッピングした後に第１のアップリンクリソースの第２の残りの部分が利用可能であるかどうかを決定し、第１のデータの第１の部分をマッピングするための手段が、第１のアップリンクリソースの第２の残りの部分が利用可能であると決定したことに少なくとも部分的に基づいて、第１のタイプのベアラを介した送信のために利用可能な第１のデータの第２の部分を第１のアップリンクリソースにマッピングする、を含み得る。また、本装置は、ここにおいて、第１のデータの第１の部分をマッピングするための手段が、第１のタイプのベアラに関係するトークンバケット中の利用可能なトークンの断片を利用することに少なくとも部分的に基づいて第１のデータの第１の部分をマッピングする、を含み得る
[0015]追加の態様では、第１のタイプのベアラを介した送信のために利用可能な第１のデータの第１の部分を、第１の基地局から許可された第１のアップリンクリソースにマッピングすることを少なくとも１つのコンピュータに行わせるためのコードと、ここにおいて、第１のタイプのベアラが、第１の基地局と第２の基地局とを使用する送信のために構成され、第１のデータの第１の部分をマッピングした後に第１のアップリンクリソースの残りの部分が利用可能であるかどうかを決定することを少なくとも１つのコンピュータに行わせるためのコードと、第１のアップリンクリソースの残りの部分が利用可能であると決定したことに少なくとも部分的に基づいて、第２のタイプのベアラからの第２のデータを第１のアップリンクリソースの残りの部分の少なくとも第１の部分にマッピングすることを少なくとも１つのコンピュータに行わせるためのコードとを含む、非一時的コンピュータ可読記憶媒体について説明する。
【００１５】
[0016]その上、コンピュータ可読媒体は、ここにおいて、決定することを少なくとも１つのコンピュータに行わせるためのコードが、第２のデータをマッピングした後に第１のアップリンクリソースの第２の残りの部分が利用可能であるかどうかを決定し、第１のデータの第１の部分をマッピングすることを少なくとも１つのコンピュータに行わせるためのコードが、第１のアップリンクリソースの第２の残りの部分が利用可能であると決定したことに少なくとも部分的に基づいて、第１のタイプのベアラを介した送信のために利用可能な第１のデータの第２の部分を第１のアップリンクリソースにマッピングする、を含み得る。コンピュータ可読媒体はまた、ここにおいて、第１のデータの第１の部分をマッピングすることを少なくとも１つのコンピュータに行わせるためのコードが、第１のタイプのベアラに関係するトークンバケット中の利用可能なトークンの断片を利用することに少なくとも部分的に基づいて第１のデータの第１の部分をマッピングする、を含み得る。
【００１６】
[0017]本開示の様々な態様および特徴について、添付の図面に示されているそれらの様々な例に関して以下でさらに詳細に説明する。本開示について様々な例に関して以下で説明するが、本開示はそれらに限定されないことを理解されたい。本明細書の教示へのアクセスを有する当業者は、本明細書で説明する本開示の範囲内にあり、本開示がそれらに関して著しく有意な有用であり得る、追加の実装形態、変更形態、および例、ならびに他の使用分野を認識されよう。
【００１７】
[0018]本開示のより完全な理解を可能にするために、次に添付の図面を参照し、そこでは、同様の数字を用いて同様の要素が参照される。これらの図面は、本開示を限定するものとして解釈されるべきではなく、例示的にすぎないものである。
【図面の簡単な説明】
【００１８】
【図１】[0019]本開示の一態様による、ワイヤレス通信システムの一例を概念的に示すブロック図。
【図２】[0020]本開示の一態様に従って構成されたｅノードＢおよびＵＥの一例を概念的に示すブロック図。
【図３】[0021]本開示の一態様による、ＵＥにおける無線アクセス技術のアグリゲーションを概念的に示すブロック図。
【図４ａ】[0022]本開示の一態様による、ＵＥとＰＤＮとの間のデータ経路の一例を概念的に示すブロック図。
【図４ｂ】本開示の一態様による、ＵＥとＰＤＮとの間のデータ経路の一例を概念的に示すブロック図。
【図５】[0023]本開示の一態様による、複数接続性キャリアアグリゲーションを概念的に示す図。
【図６】[0024]本開示の一態様に従って構成されたＵＥおよび構成要素の一例を概念的に示すブロック図。
【図７】[0025]本開示の一態様による、ベアラデータをアップリンクリソースにマッピングするための例示的な方法を示すフローチャート。
【図８】[0026]本開示の一態様による、トークンバケットを使用してベアラデータをアップリンクリソースにマッピングするための例示的な方法を示すフローチャート。
【図９】[0027]本開示の一態様による、トークンバケットを使用してベアラデータをアップリンクリソースにマッピングするための例示的な方法を示すフローチャート。
【図１０】[0028]本開示の一態様に従って構成された処理システムを利用する装置のための例示的なハードウェア実装形態を概念的に示すブロック図。
【発明を実施するための形態】
【００１９】
[0029]添付の図面に関して以下に示す詳細な説明は、様々な構成を説明するものであり、本明細書で説明する概念が実践され得る唯一の構成を表すものではない。詳細な説明は、様々な概念の完全な理解を提供する目的のための具体的な詳細を含む。しかしながら、これらの概念は、これらの具体的な詳細なしに実践され得ることが当業者には明らかであろう。いくつかの事例では、よく知られている構造および構成要素は、そのような概念を不明瞭にすることを避けるためにブロック図の形態で示される。
【００２０】
[0030]複数のベアラのデータを、複数のネットワークエンティティに関係するリソースにマッピングするための様々な方法、装置、デバイス、およびシステムについて説明する。いくつかの態様では、ワイヤレスデバイス（たとえば、ユーザ機器（ＵＥ））は、ワイヤレスデバイスがワイヤレスネットワークにアクセスするのにそれを介して通信することができる複数のネットワークエンティティの各々のためのリソースを受信することを含み得る、複数接続性を使用して複数のネットワークエンティティと通信することができる。複数接続性のいくつかの態様では、ワイヤレスデバイスは、複数のネットワークエンティティに通信可能に結合され得る。たとえば、第１のネットワークエンティティ（たとえば、ＭｅノードＢまたはＭｅＮＢとも呼ばれる、マスタｅノードＢ）は、１つまたは複数のセルを含むマスタセルグループ（ＭＣＧ：master cell group）を動作させるように構成され得る（たとえば、各セルは、異なる周波数帯域中で動作し得、１つまたは複数のコンポーネントキャリア（ＣＣ）を含み得る）。マスタセルグループ（ＭＣＧ）中のセルは、マスタセルグループ（ＭＣＧ）の第１の１次セル（たとえば、ＰＣｅｌｌMCG）として構成され得る。第２のネットワークエンティティ（たとえば、ＳｅノードＢまたはＳｅＮＢ）は、１つまたは複数のセルを含む２次セルグループ（ＳＣＧ：secondary cell group）を動作させるように構成され得る（たとえば、各セルは、異なる周波数帯域中で動作し得、１つまたは複数のコンポーネントキャリア（ＣＣ）を含み得る）。２次セルグループ（ＳＣＧ）中のセルは、２次セルグループ（ＳＣＧ）の第１の１次セル（たとえば、ＰＣｅｌｌSCG）として指定され得る。たとえば、ワイヤレスデバイスは、第１の１次セル（たとえば、ＰＣｅｌｌMCG）を介して第１のネットワークエンティティから構成情報を受信し、第２の１次セル（たとえば、ＰＣｅｌｌSCG）を介して第２のネットワークエンティティから構成情報を受信し得る。第１のネットワークエンティティは第２のネットワークエンティティとコロケートされないことがある。
【００２１】
[0031]さらに、ネットワークエンティティがそれらに関係するワイヤレスデバイスおよび／またはワイヤレスネットワークは、ネットワークエンティティを介してワイヤレスデバイスとワイヤレスネットワークとの間の通信を可能にするように複数のベアラを構成し得る。一例では、ワイヤレスデバイスおよび／またはワイヤレスネットワークは、サービス品質（ＱｏＳ）を提供するために複数のネットワークエンティティのリソースを使用してワイヤレスネットワークとの通信を可能にすることができるスプリットベアラを構成することができる。
【００２２】
[0032]本明細書で使用する「スプリットベアラ」は、ＵＥと複数のｅＮＢとの間で構成されたベアラを指すことができる。一例では、スプリットベアラは、複数のｅＮＢのうちの１つ（たとえば、ＭｅＮＢ）によってパケットデータコンバージェンスプロトコル（ＰＤＣＰ）レイヤにおいて管理され得る。したがって、複数のｅＮＢの各々は、ＵＥと通信するためにスプリットベアラに関連付けられた別個の無線リンク制御（ＲＬＣ）レイヤ、メディアアクセス制御（ＭＡＣ）レイヤなどを有し得、１つのｅＮＢにおけるＰＤＣＰレイヤは、複数のｅＮＢの各々においてＵＥから下位ＲＬＣ／ＭＡＣレイヤを介して通信を受信／送信することを制御することができる。ＰＤＣＰレイヤは、たとえば、他のｅＮＢの下位レイヤを、それらとのバックホール接続を使用することによって、制御することができる。
【００２３】
[0033]さらに、ネットワークエンティティ固有ベアラ（本明細書ではｅノードＢ固有ベアラとも呼ばれる）が、単一のネットワークエンティティのリソースを使用してワイヤレスデバイスとワイヤレスネットワークとの間に構成され得る。したがって、いくつかの例では、ワイヤレスデバイスは、スプリットベアラからおよびネットワークエンティティ固有ベアラからのデータを、単一のネットワークエンティティに関係するリソース上にマッピングし得る。スプリットベアラは、ネットワークエンティティ固有ベアラとは異なる優先度を有することができ、たとえばスプリットベアラがより高い優先度である場合、それにより、ネットワークエンティティのリソースのすべてまたは大部分を潜在的に使用し、それにより、ネットワークエンティティ固有ベアラのためにまったく残されないかまたは不十分な量が残され得る。
【００２４】
[0034]この点について、本明細書で説明する態様によれば、ワイヤレスデバイスは、第１の基地局によって許可されたリソースにマッピングするために、より優先度の高いベアラ（たとえば、スプリットベアラ）に関係するデータの一部分を選択することができ、それにより、リソースの少なくとも一部が、より優先度の低いベアラ（たとえば、ネットワークエンティティ固有ベアラ）に関係するデータをマッピングするために残っていることが保証され得る。より優先度の低いベアラ（たとえば、ネットワークエンティティ固有ベアラ）に関係するデータをマッピングした後にリソースが残っている場合、残りのリソースは、より優先度の高いベアラ（たとえば、スプリットベアラ）に関係するデータが残っている場合、そのようなデータの追加の部分をマッピングするために使用され得る。説明したように、このスプリットベアラ構成では、スプリットベアラに関係するデータの別の部分は、第２の基地局によって許可されたリソースにもマッピングされ得る。特定の例では、ワイヤレスデバイスは、ベアラがＱｏＳを提供するためにトークンバケットアルゴリズムを使用することができる。したがって、この例では、ワイヤレスデバイスは、ネットワークエンティティのリソースにマッピングされるデータの量を決定するのにスプリットベアラ用のトークンバケット中のトークンの断片を利用することができ、それはネットワークエンティティのリソースにマッピングされるデータの量を決定するためにネットワークエンティティ固有ベアラ用のトークンバケット中のトークンが使用され得ることを保証する。本明細書でさらに説明するように、スプリットベアラ用のトークンバケットは、ＱｏＳを提供するために、データを各ネットワークエンティティのリソースにマッピングするための別個のトークンバケット、またはデータをネットワークエンティティのリソースにマッピングするための共通のトークンバケットを含むことができる。
【００２５】
[0035]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））とＣＤＭＡの他の変形態とを含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）  ＬＴＥ（登録商標）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上述のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分においてＬＴＥ用語を使用する。
【００２６】
[0036]図１は、本開示の一態様による、ワイヤレス通信システム１００の一例を概念的に示すブロック図である。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。たとえば、ＵＥ１１５（たとえばＵＥ１１５−ａおよび／または他のＵＥ１１５）は、図６において本明細書でさらに説明するように、１つまたは複数の基地局１０５との複数のベアラ（たとえば、スプリットおよび／またはネットワークエンティティ固有ベアラ）の優先度付けを、データをそれらにマッピングする際に、決定するためのベアラ通信構成要素６４０を含み得る。基地局１０５は、第１のバックホールリンク１３２を通してコアネットワーク１３０と制御情報および／またはユーザデータを通信し得る。実施形態では、基地局１０５は、ワイヤードまたはワイヤレス通信リンクであり得る第２のバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ）またはセルラーフローに対応し得る。他の態様では、複数のフローは、ＷＷＡＮまたはセルラーフローとワイヤレスローカルエリアネットワーク（ＷＬＡＮ）またはＷｉ−Ｆｉフローとの組合せに対応し得る。
【００２７】
[0037]基地局１０５は、１つまたは複数の基地局アンテナを介してＵＥ１１５とワイヤレス通信し得る。基地局１０５のサイトの各々は、それぞれの地理的カバレージエリア１１０に通信カバレージを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術について重複するカバレージエリアがあり得る。
【００２８】
[0038]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、概して、基地局１０５を記述するために使用され得る。ワイヤレス通信システム１００は、異なるタイプのｅノードＢが様々な地理的領域にカバレージを提供する、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを提供し得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリア（たとえば、建築物）をカバーすることになり、ネットワークプロバイダのサービスに加入しているＵＥ１１５による無制限アクセスを可能にし得る。また、フェムトセルは、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ）中のＵＥ１１５、自宅中のユーザのためのＵＥ１１５など）による制限付きアクセスを提供し得る。マクロセルのためのｅノードＢ１０５はマクロｅノードＢと呼ばれることがある。ピコセルのためのｅノードＢ１０５はピコｅノードＢと呼ばれることがある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によるＬＴＥおよびＷＬＡＮまたはＷｉＦｉ（登録商標）の使用をサポートし得る。
【００２９】
[0039]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いに通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明する技法は、同期動作または非同期動作のいずれにも使用され得る。
【００３０】
[0040]ＵＥ１１５は、ワイヤレス通信システム１００全体にわたって分散され得、各ＵＥ１１５は固定式または移動可能であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００３１】
[0041]ワイヤレス通信システム１００に示された通信リンク１２５は、ＵＥ１１５からｅノードＢ１０５へのアップリンク（ＵＬ）送信、および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３２】
[0042]ワイヤレス通信システム１００のいくつかの態様では、ＵＥ１１５は、２つ以上のｅノードＢ１０５とのキャリアアグリゲーション（ＣＡ）をサポートするように構成され得る。キャリアアグリゲーションのために使用されるｅノードＢ１０５はコロケートされ得るか、または高速接続を通して接続され得る。いずれの場合も、ＵＥ１１５とｅノードＢ１０５との間のワイヤレス通信のためのコンポーネントキャリア（ＣＣ）のアグリゲーションを協調させることは、情報がキャリアアグリゲーションを実施するために使用されている様々なセル間で容易に共有され得るので、より容易に行われ得る。キャリアアグリゲーションのために使用されるｅノードＢ１０５がコロケートされない（たとえば、遠くに離れているかまたはそれらの間の高速接続を有しない）とき、コンポーネントキャリアのアグリゲーションを協調させることは、追加の態様を伴い得る。たとえば、デュアル接続性（たとえば、２つのコロケートされないｅノードＢ１０５に接続されたＵＥ１１５）のためのキャリアアグリゲーションでは、ＵＥ１１５は、第１のｅノードＢ１０５（たとえば、ＳｅノードＢまたはＳｅＮＢ）の１次セルを通して第１のｅノードＢ１０５と通信するために構成情報を受信し得る。第１のｅノードＢ１０５は、第１のｅノードＢ１０５の、１つまたは複数の２次セルと１次セルまたはＰＣｅｌｌSCGとを含む、２次セルグループまたはＳＣＧと呼ばれるセルのグループを含み得る。ＵＥ１１５はまた、第２のｅノードＢ１０５（たとえば、ＭｅノードＢまたはＭｅＮＢ）の第２の１次セルを通して第２のｅノードＢ１０５と通信するために構成情報を受信し得る。第２のｅノードＢ１０５は、第２のｅノードＢ１０５の、１つまたは複数の２次セルと１次セルまたはＰＣｅｌｌとを含む、マスタセルグループまたはＭＣＧと呼ばれるセルのグループを含み得る。
【００３３】
[0043]ワイヤレス通信システム１００のいくつかの態様では、デュアル接続性のためのキャリアアグリゲーションは、２次ｅノードＢ１０５（たとえば、ＳｅノードＢまたはＳｅＮＢ）がそれのセルのうちの１つをＰＣｅｌｌSCGとして動作させるように構成されることを伴い得る。２次ｅノードＢ１０５は、ＵＥ１１５がマスタｅノードＢ１０５（たとえば、ＭｅノードＢまたはＭｅＮＢ）と通信している間にＵＥ１１５が２次ｅノードＢ１０５と通信するためにＰＣｅｌｌSCGを通して構成情報をＵＥ１１５に送信し得る。マスタｅノードＢ１０５は、同じＵＥ１１５が他方のｅノードＢ１０５と通信するために、それのＰＣｅｌｌを介してそのＵＥ１１５に構成情報を送信し得る。２つのｅノードＢ１０５はコロケートされないことがある。
【００３４】
[0044]本明細書で説明する例では、ＵＥ１１５は、複数のｅノードＢ１０５によってＵＥ１１５に許可されたリソースを介して複数のコロケートされないｅノードＢ１０５と通信し得る。ＵＥ１１５は、コアネットワーク１３０と少なくともスプリットベアラおよびｅノードＢ固有ベアラを確立していることがあり、ここで、スプリットベアラは複数のｅノードＢ１０５に対応することができ、ｅノードＢ固有ベアラは複数のｅノードＢ１０５のうちの１つに対応することができる。この例では、ＵＥ１１５は、本明細書で説明するように、複数のｅノードＢ１０５によって許可されたリソースを介してベアラからのデータをマッピングするためのベアラ通信構成要素６４０を含むことができ、それはｅノードＢ固有ベアラが、関係するｅノードＢ１０５のリソースの少なくとも一部分を使用することができることを保証する。
【００３５】
[0045]図２は、本開示の一態様に従って構成されたｅノードＢ２１０およびＵＥ２５０の一例を概念的に示すブロック図である。たとえば、システム２００の基地局／ｅノードＢ２１０およびＵＥ２５０は、図２に示されているように、それぞれ、図１、図３、図４ａ、図４ｂ、図５、または図６における基地局／ｅノードＢのうちの１つおよびＵＥのうちの１つ、図１０における処理システム１０１４などであり得る。たとえば、ＵＥ２５０は、図６において本明細書でさらに説明するように、１つまたは複数の基地局（たとえば、ｅノードＢ２１０）との複数のベアラ（たとえば、スプリットおよび／またはネットワークエンティティ固有ベアラ）の優先度付けを、データをそれらにマッピングする際に、決定するための、コントローラ／プロセッサ２８０、メモリ２８２などに結合されおよび／またはそれらによって提供され得る、ベアラ通信構成要素６４０を含み得る。いくつかの態様では、ｅノードＢ２１０は、複数接続性（たとえば、デュアル接続性）キャリアアグリゲーションをサポートし得る。ｅノードＢ２１０は、それのＭＣＧ中のセルのうちの１つをＰＣｅｌｌとして構成させられたＭｅノードＢもしくはＭｅＮＢであるか、またはそれのＳＣＧ中のそれのセルのうちの１つをＰＣｅｌｌSCGとして構成させられたＳｅノードＢもしくはＳｅＮＢであり得る。いくつかの態様では、ＵＥ２５０も、複数接続性キャリアアグリゲーションをサポートし得る。ＵＥ２５０は、ＰＣｅｌｌおよび／またはＰＣｅｌｌSCGを介してｅノードＢ２１０から構成情報を受信し得る。基地局２１０はアンテナ２３４1〜tを装備し得、ＵＥ２５０はアンテナ２５２1〜rを装備し得、ここにおいて、ｔおよびｒは１以上の整数である。
【００３６】
[0046]基地局２１０において、基地局送信プロセッサ２２０は、基地局データソース２１２からデータを受信し、基地局コントローラ／プロセッサ２４０から制御情報を受信し得る。制御情報は、（たとえば、ＬＴＥでは）物理ブロードキャストチャネル（ＰＢＣＨ）、物理制御フォーマットインジケータチャネル（ＰＣＦＩＣＨ）、物理ハイブリッド自動再送／要求（ＨＡＲＱ）インジケータチャネル（ＰＨＩＣＨ）、物理ダウンリンク制御チャネル（ＰＤＣＣＨ）などの上で搬送され得る。データは、（たとえば、ＬＴＥでは）物理ダウンリンク共有チャネル（ＰＤＳＣＨ）などの上で搬送され得る。基地局送信プロセッサ２２０は、データおよび制御情報を処理（たとえば、符号化およびシンボルマッピング）して、それぞれデータシンボルおよび制御シンボルを取得し得る。基地局送信プロセッサ２２０はまた、たとえば、１次同期信号（ＰＳＳ）、２次同期信号（ＳＳＳ）、およびセル固有基準信号（ＲＳ）のために、基準シンボルを生成し得る。基地局送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実施し得、基地局変調器／復調器（ＭＯＤ／ＤＥＭＯＤ）２３２1〜tに出力シンボルストリームを提供し得る。各基地局変調器／復調器２３２は、（たとえば、ＯＦＤＭなどのために）それぞれの出力シンボルストリームを処理して、出力サンプルストリームを取得し得る。各基地局変調器／復調器２３２は、出力サンプルストリームをさらに処理（たとえば、アナログへの変換、増幅、フィルタ処理、およびアップコンバート）して、ダウンリンク信号を取得し得る。変調器／復調器２３２1〜tからのダウンリンク信号は、それぞれアンテナ２３４1〜tを介して送信され得る。
【００３７】
[0047]ＵＥ２５０において、ＵＥアンテナ２５２1〜rは、基地局２１０からダウンリンク信号を受信し得、受信信号をそれぞれＵＥ変調器／復調器（ＭＯＤ／ＤＥＭＯＤ）２５４1〜rに提供し得る。各ＵＥ変調器／復調器２５４は、それぞれの受信信号を調整（たとえば、フィルタ処理、増幅、ダウンコンバート、およびデジタル化）して、入力サンプルを取得し得る。各ＵＥ変調器／復調器２５４は、（たとえば、ＯＦＤＭなどのために）入力サンプルをさらに処理して、受信シンボルを取得し得る。ＵＥ  ＭＩＭＯ検出器２５６は、すべてのＵＥ変調器／復調器２５４1〜rから受信シンボルを取得し、適用可能な場合は受信シンボルに対してＭＩＭＯ検出を実施し、検出シンボルを提供し得る。ＵＥ受信プロセッサ２５８は、検出シンボルを処理（たとえば、復調、デインターリーブ、および復号）し、ＵＥ２５０の復号されたデータをＵＥデータシンク２６０に提供し、復号された制御情報をＵＥコントローラ／プロセッサ２８０に提供し得る。
【００３８】
[0048]アップリンク上では、ＵＥ２５０において、ＵＥ送信プロセッサ２６４は、ＵＥデータソース２６２から（たとえば、物理アップリンク共有チャネル（ＰＵＳＣＨ）のための）データを受信し、処理し得、ＵＥコントローラ／プロセッサ２８０から（たとえば、物理アップリンク制御チャネル（ＰＵＣＣＨ）のための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ、（たとえば、ＳＣ−ＦＤＭなどのために）ＵＥ変調器／復調器２５４1〜rによってさらに処理され、基地局２１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、基地局受信プロセッサ２３８によってさらに処理されて、ＵＥ２５０によって送られた復号されたデータと制御情報とが取得され得る。基地局受信プロセッサ２３８は、復号されたデータを基地局データシンク２４６に提供し、復号された制御情報を基地局コントローラ／プロセッサ２４０に提供し得る。
【００３９】
[0049]基地局コントローラ／プロセッサ２４０およびＵＥコントローラ／プロセッサ２８０は、それぞれ基地局２１０およびＵＥ２５０における動作を指示し得る。ＵＥ２５０におけるＵＥコントローラ／プロセッサ２８０ならびに／または他のプロセッサおよびモジュールはまた、たとえば、図６に示された機能ブロック、および／または本明細書で説明する技法のための他のプロセス（たとえば、図７および図８に示されたフローチャート）を実施するか、またはその実行を指示し得る。いくつかの態様では、これらの機能ブロックおよび／またはプロセスの実行の少なくとも一部分は、ＵＥコントローラ／プロセッサ２８０中のブロック２８１によって実施され得る。機能ブロックは、たとえば、ベアラ通信構成要素６４０のブロック、方法７００および／または８００に記載されているブロックによって実施される機能などによって表され得る。基地局メモリ２４２およびＵＥメモリ２８２は、それぞれ基地局２１０およびＵＥ２５０のためのデータおよびプログラムコードを記憶し得る。たとえば、ＵＥメモリ２８２は、基地局２１０および／または別の基地局によって提供される複数接続性についての構成情報、ベアラ通信構成要素６４０に関係する情報、またはベアラ通信構成要素６４０の機能を実施するための命令などを記憶し得る。スケジューラ２４４は、ダウンリンクおよび／またはアップリンク上でのデータ送信のためにＵＥ２５０をスケジュールするために使用され得る。
【００４０】
[0050]一構成では、ＵＥ２５０は、第１のタイプのベアラを介した送信のために利用可能な第１のデータの第１の部分を、第１の基地局から許可された第１のアップリンクリソースにマッピングするための手段を含み得、ここにおいて、第１のタイプのベアラは、第１の基地局と第２の基地局とを使用する送信のために構成される。ＵＥ２５０はまた、第１のデータの第１の部分をマッピングした後に第１のアップリンクリソースの残りの部分が利用可能であるかどうかを決定するための手段を含み得る。ＵＥ２５０は、第１のアップリンクリソースの残りの部分が利用可能であると決定したことに少なくとも部分的に基づいて、第２のタイプのベアラからの第２のデータを第１のアップリンクリソースの残りの部分の少なくとも第１の部分にマッピングするための手段をさらに含み得る。一態様では、上述の手段は、上述の手段によって具陳される機能を実施するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、およびＵＥアンテナ２５２であり得る。別の態様では、上述の手段は、上述の手段によって具陳される機能を実施するように構成されたモジュール、構成要素、または任意の装置であり得る。そのようなモジュール、構成要素、または装置の例について、図６（たとえば、ベアラ通信構成要素６４０および／または関係する構成要素）に関して説明することがある。
【００４１】
[0051]図３は、本開示の一態様による、ＵＥにおける無線アクセス技術のアグリゲーションを概念的にブロック図である。アグリゲーションは、１つまたは複数のコンポーネントキャリア１〜Ｎ（ＣＣ1〜ＣＣN）を使用してｅノードＢ３０５−ａと通信し、および／またはＷＬＡＮキャリア３４０を使用してＷＬＡＮアクセスポイント（ＡＰ）３０５−ｂと通信することができる、マルチモードＵＥ３１５を含むシステム３００中で行われ得る。たとえば、ＵＥ３１５は、図６において本明細書でさらに説明するように、１つまたは複数のアクセスポイント（たとえば、ｅＮＢ３０５−ａ、ＡＰ３０５−ｂなど）との１つまたは複数のＣＣ３３０または３４０を介した複数のベアラ（たとえば、スプリットおよび／またはネットワークエンティティ固有ベアラ）の優先度付けを、データをそれらにマッピングする際に、決定するためのベアラ通信構成要素６４０を含み得る。マルチモードＵＥは、この例では、２つ以上の無線アクセス技術（ＲＡＴ）をサポートするＵＥを指すことがある。たとえば、ＵＥ３１５は、少なくともＷＷＡＮ無線アクセス技術（たとえば、ＬＴＥ）とＷＬＡＮ無線アクセス技術（たとえば、Ｗｉ−Ｆｉ）とをサポートする。マルチモードＵＥはまた、本明細書で説明するように、複数接続性キャリアアグリゲーションをサポートし得る。ＵＥ３１５は、図１、図２、図３、図４ａ、図４ｂ、図５、図６のＵＥのうちの１つ、図１０における処理システム１０１４などの一例であり得る。ｅノードＢ３０５−ａは、図１、図２、図３、図４ａ、図４ｂ、図５、図６のｅノードＢまたは基地局のうちの１つの一例であり得る。図３には、１つのＵＥ３１５、１つのｅノードＢ３０５−ａ、および１つのＡＰ３０５−ｂのみが示されているが、システム３００は、任意の数のＵＥ３１５、ｅノードＢ３０５−ａ、および／またはＡＰ３０５−ｂを含むことができることを諒解されよう。特定の一例では、ＵＥ３１５は、１つのＬＴＥコンポーネントキャリア３３０を介して１つのｅＮＢ３０５と通信しながら、別のコンポーネントキャリア３３０を介して別のｅＮＢ３０５と通信することができる。
【００４２】
[0052]ｅノードＢ３０５−ａは、ＬＴＥコンポーネントキャリアＣＣ1〜ＣＣN３３０上の順方向（ダウンリンク）チャネル３３２−１〜３３２−Ｎを介してＵＥ３１５に情報を送信することができる。さらに、ＵＥ３１５は、ＬＴＥコンポーネントキャリアＣＣ1〜ＣＣN上の逆方向（アップリンク）チャネル３３４−１〜３３４−Ｎを介してｅノードＢ３０５−ａに情報を送信することができる。同様に、ＡＰ３０５−ｂは、ＷＬＡＮキャリア３４０上の順方向（ダウンリンク）チャネル３５２を介してＵＥ３１５に情報を送信し得る。さらに、ＵＥ３１５は、ＷＬＡＮキャリア３４０の逆方向（アップリンク）チャネル３５４を介してＡＰ３０５−ｂに情報を送信し得る。
【００４３】
[0053]図３ならびに開示する実施形態のいくつかに関連付する他の図の様々なエンティティを説明する際に、説明の目的で、３ＧＰＰ  ＬＴＥまたはＬＴＥ−Ａワイヤレスネットワークと関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００４４】
[0054]マルチキャリア動作中、異なるＵＥ３１５に関連するダウンリンク制御情報（ＤＣＩ）メッセージは、複数のコンポーネントキャリア上で搬送され得る。たとえば、ＰＤＣＣＨ上のＤＣＩは、ＰＤＳＣＨ送信のためにＵＥ３１５によって使用されるように構成された同じコンポーネントキャリア上に含まれ得る（たとえば、同一キャリアシグナリング）。代替または追加として、ＤＣＩは、ＰＤＳＣＨ送信のために使用されるターゲットコンポーネントキャリアとは異なるコンポーネントキャリア上で搬送され得る（たとえば、クロスキャリアシグナリング）。いくつかの実装形態では、半静的に有効化され得るキャリアインジケータフィールド（ＣＩＦ）は、ＰＤＳＣＨ送信のためのターゲットキャリア以外のキャリアからのＰＤＣＣＨ制御シグナリングの送信を可能にするために、一部または全部のＤＣＩフォーマット中に含まれ得る（クロスキャリアシグナリング）。
【００４５】
[0055]本例では、ＵＥ３１５は、１つのｅノードＢ３０５−ａからデータを受信し得る。しかしながら、セルエッジ上のユーザは、データレートを制限することがある高いセル間干渉を経験し得る。マルチフローは、ＵＥが同時に２つのｅノードＢ３０５−ａからデータを受信することを可能にする。いくつかの態様では、２つのｅノードＢ３０５−ａは、コロケートされないことがあり、複数接続性キャリアアグリゲーションをサポートするように構成され得る。マルチフローは、ＵＥが同時に２つの隣接するセル中の２つのセルタワーの範囲内にあるとき（以下の図５参照）、２つのまったく別個のストリーム中で２つのｅノードＢ３０５−ａからのデータを送信および受信することによって動作する。ＵＥは、デバイスがいずれかのｅノードＢの到達範囲のエッジ上にあるとき、同時に２つのｅノードＢ３０５−ａと通話する。同時に２つの異なるｅノードＢからモバイルデバイスに２つの独立データストリームをスケジューリングすることによって、マルチフローは、ＨＳＰＡネットワークにおける不均一なローディングを活用する。これは、ネットワーク容量を増加させながら、セルエッジユーザエクスペリエンスを改善することができる。一例では、セルエッジにおけるユーザのためのスループットデータ速度が２倍になり得る。いくつかの態様では、マルチフローはまた、ＵＥがＷＷＡＮタワー（たとえば、セルラータワー）とＷＬＡＮタワー（たとえば、ＡＰ）との到達範囲内にあるとき、両方のタワーに同時に通話するＵＥの能力を指すことがある。そのような場合、タワーは、タワーがコロケートされないとき、複数の接続を通してキャリアアグリゲーションをサポートするように構成され得る。マルチフローは、デュアルキャリアＨＳＰＡと同様であるＬＴＥ／ＬＴＥ−Ａの特徴であるが、相違がある。たとえば、デュアルキャリアＨＳＰＡは、デバイスに同時に接続するための複数のタワーへの接続性を可能にしないことがある。
【００４６】
[0056]従来、ＬＴＥ−Ａ規格化において、ＬＴＥコンポーネントキャリア３３０は後方互換であり、これは、新しいリリースへの円滑な移行を可能にした。しかしながら、この特徴により、ＬＴＥコンポーネントキャリア３３０は、帯域幅にわたってあらゆるサブフレーム中で共通基準信号（ＣＲＳ、セル固有基準信号とも呼ばれる）を連続的に送信することになった。限られた制御シグナリングのみが送信されているときでもセルがオンのままであり、それにより、電力増幅器がエネルギーを消費し続けるので、大部分のセルサイトエネルギー消費はその増幅器によって生じる。ＣＲＳは、ＬＴＥのリリース８において基本的ダウンリンク基準信号として導入された。ＣＲＳは、周波数領域中のあらゆるリソースブロック中で、およびあらゆるダウンリンクサブフレーム中で送信され得る。セル中のＣＲＳは、１つ、２つ、または４つの対応するアンテナポートのためのものであり得る。ＣＲＳは、コヒーレント復調のためのチャネルを推定するためにリモート端末によって使用され得る。ニューキャリアタイプ（ＮＣＴ）は、たとえば、５つのサブフレームのうち４つにおいてＣＲＳの送信を削除することによって、セルのスイッチングオフを一時的に可能にする。この特徴は、ＣＲＳがもはや帯域幅にわたってあらゆるサブフレーム中で連続的に送信されるとは限らないので、電力増幅器よって消費される電力、ならびにオーバーヘッドとＣＲＳからの干渉とを低減する。さらに、ニューキャリアタイプは、ＵＥ固有復調基準シンボルを使用してダウンリンク制御チャネルが動作させられることを可能にする。ニューキャリアタイプは、別のＬＴＥ／ＬＴＥ−Ａキャリアとともに拡張キャリアの一種として、または代替的にスタンドアロン非後方互換性キャリアとして動作させられ得る。
【００４７】
[0057]図４ａは、本開示の一態様による、ＵＥ４１５とＰＤＮ４４０（たとえば、インターネットまたはインターネットにアクセスするための１つもしくは複数の構成要素）との間のデータ経路４４５および４５０の一例を概念的に示すブロック図である。たとえば、ＵＥ４１５は、図６において本明細書でさらに説明するように、１つまたは複数のアクセスポイント（たとえば、ｅＮＢ４０５、ＡＰ４０６など）との１つまたは複数のデータ経路４４５、４５０を介した複数のベアラ（たとえば、スプリットおよび／またはネットワークエンティティ固有ベアラ）の優先度付けを、データをそれらにマッピングする際に、決定するためのベアラ通信構成要素６４０を含み得る。データ経路４４５、４５０は、異なる無線アクセス技術からのデータをアグリゲートするためのワイヤレス通信システム４００のコンテキスト内で示されている。図３のシステム３００は、ワイヤレス通信システム４００の部分の一例であり得る。ワイヤレス通信システム４００は、マルチモードＵＥ４１５と、ｅノードＢ４０５と、ＷＬＡＮ  ＡＰ４０６と、発展型パケットコア（ＥＰＣ）４８０と、ＰＤＮ４４０と、ピアエンティティ４５５とを含み得る。マルチモードＵＥ４１５は、複数接続性（たとえば、デュアル接続性）キャリアアグリゲーションをサポートするように構成され得る。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ）４３５は、ＭＭＥ４３０と通信可能に結合され得る。ＵＥ４１５は、ＬＴＥ無線機４２０とＷＬＡＮ無線機４２５とを含み得る。これらの要素は、前または後の図を参照しながら上記で説明したそれらのカウンターパートのうちの１つまたは複数の態様を表し得る。たとえば、ＵＥ４１５は、図１、図２、図３、図４ｂ、図５、図６におけるＵＥ、図１０における処理システム１０１４などの一例であり得、ｅノードＢ４０５は、図１、図２、図３、図５、図４ｂ、図６のｅノードＢ／基地局の一例であり得、ＡＰ４０６は図３のＡＰの一例であり得、および／またはＥＰＣ４８０は図１のコアネットワークの一例であり得る。図４ａにおけるｅノードＢ４０５およびＡＰ４０６は、互いにコロケートされないことがあるか、またはさもなければ高速通信していないことがある。
【００４８】
[0058]再び図４ａを参照すると、ｅノードＢ４０５およびＡＰ４０６は、１つまたは複数のＬＴＥコンポーネントキャリアまたは１つもしくは複数のＷＬＡＮコンポーネントキャリアのアグリゲーションを使用して、ＵＥ４１５にＰＤＮ４４０へのアクセスを提供することが可能であり得る。したがって、ＵＥ４１５は、デュアル接続性でのキャリアアグリゲーションを伴い得、ここで、一方の接続は１つのネットワークエンティティ（ｅノードＢ４０５）に対してであり、他方の接続は異なるネットワークエンティティ（ＡＰ４０６または別のｅノードＢ、図示せず）に対してである。ＰＤＮ４４０へのこのアクセスを使用して、ＵＥ４１５は、ピアエンティティ４５５と通信し得る。ｅノードＢ４０５は、（たとえば、データ経路４４５を通して）発展型パケットコア４８０を通してＰＤＮ４４０へのアクセスを提供し得、ＷＬＡＮ  ＡＰ４０６は、（たとえば、データ経路４５０を通して）ＰＤＮ４４０への直接アクセスを提供し得る。
【００４９】
[0059]ＭＭＥ４３０は、ＵＥ４１５とＥＰＣ４８０との間のシグナリングを処理する制御ノードであり得る。概して、ＭＭＥ４３０は、ベアラおよび接続管理を行い得る。ＭＭＥ４３０は、したがって、ＵＥ４１５のためのアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５と通信し得る。ＭＭＥ４３０は、ＵＥ４１５をさらに認証し、ＵＥ４１５との非アクセス層（ＮＡＳ）シグナリングを実装し得る。
【００５０】
[0060]ＨＳＳ４３５は、機能の中でも、加入者データを記憶し、ローミング制限を管理し、加入者のためのアクセス可能アクセスポイント名（ＡＰＮ）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００５１】
[0061]ＬＴＥを介して送信されるすべてのユーザＩＰパケットは、ｅノードＢ４０５を通してＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。ＳＧＷ４３２は、ユーザプレーンに常駐し、ｅノードＢ間ハンドオーバおよび異なるアクセス技術間のハンドオーバのためのモビリティアンカーとして働き得る。ＰＤＮゲートウェイ４３４は、ＵＥのＩＰアドレス割振りならびに他の機能を提供し得る。
【００５２】
[0062]ＰＤＮゲートウェイ４３４は、ＳＧｉシグナリングインターフェースを介して、ＰＤＮ４４０などの１つまたは複数の外部パケットデータネットワークへの接続性を提供し得る。ＰＤＮ４４０は、インターネット、イントラネット、ＩＰマルチメディアサブシステム（ＩＭＳ）、パケット交換（ＰＳ）ストリーミングサービス（ＰＳＳ）、および／または他のタイプのＰＤＮを含み得る。
【００５３】
[0063]本例では、ＵＥ４１５とＥＰＣ４８０との間のユーザプレーンデータは、トラフィックがＬＴＥリンクの経路４４５を介して流れるのか、ＷＬＡＮリンクの経路４５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅノードＢ４０５を経由して、ＵＥ４１５のＬＴＥ無線機４２０とＥＰＣ４８０のＭＭＥ４３０との間で送信され得る。
【００５４】
[0064]ＬＴＥに関して図４ａの態様について説明したが、アグリゲーションおよび／または複数の接続に関する同様の態様はまた、ＵＭＴＳまたは他の同様のシステムもしくはネットワークワイヤレス通信無線技術に関して実装され得る。
【００５５】
[0065]図４ｂは、本開示の一態様による、ＵＥ４１５とＥＰＣ４８０との間のデータ経路４４５−ａおよび４４５−ｂの一例を概念的に示すブロック図である。たとえば、ＵＥ４１５は、図６において本明細書でさらに説明するように、１つまたは複数のアクセスポイント（たとえば、ｅＮＢ４０５−ａ、４０５−ｂなど）との１つまたは複数のデータ経路４４５−ａ、４４５−ｂを介した複数のベアラ（たとえば、スプリットおよび／またはネットワークエンティティ固有ベアラ）の優先度付けを、データをそれらにマッピングする際に、決定するためのベアラ通信構成要素６４０を含み得る。データ経路４４５−ａ、４４５−ｂは、複数のｅノードＢ４０５−ａ、４０５−ｂのリソースを使用して送信するためのスプリットベアラのデータをアグリゲートするためのワイヤレス通信システム４０１のコンテキスト内で示されている。これは、たとえば、ｅノードＢ４０５を横断するデータ経路４４５を有する、図４ａに示されたベアラ構成に対する代替ベアラ構成であり得る。図３のシステム３００は、ワイヤレス通信システム４０１の部分の一例であり得る。ワイヤレス通信システム４０１は、ＵＥ４１５と、ｅノードＢ４０５−ａと、ｅノードＢ４０５−ｂと、発展型パケットコア（ＥＰＣ）４８０と、ＰＤＮ４４０と、ピアエンティティ４５５とを含み得る。ＵＥ４１５は、複数接続性（たとえば、デュアル接続性）キャリアアグリゲーションをサポートするように構成され得る。ＵＥ４１５は、図４ａに示されているように、ＷＬＡＮ  ＡＰとともにｅノードＢ４０５−ａおよび４０５−ｂと通信することができるマルチモードＵＥであり得るが、そのような構成要素は、説明を簡単にするために省略されていることがあることを諒解されたい。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ）４３５は、ＭＭＥ４３０と通信可能に結合され得る。ＵＥ４１５はＬＴＥ無線機４２０を含み得る。これらの要素は、前または後の図を参照しながら上記で説明したそれらのカウンターパートのうちの１つまたは複数の態様を表し得る。たとえば、ＵＥ４１５は、図１、図２、図３、図４ａ、図５、図６におけるＵＥ、図１０の処理システム１０１４などの一例であり得、ｅノードＢ４０５−ａは、図１、図２、図３、図４ａ、図５、図６のｅノードＢ／基地局の一例であり得、および／またはＥＰＣ４８０は図１のコアネットワークの一例であり得る。図４ｂにおけるｅノードＢ４０５−ａおよびｅノードＢ４０５−ｂはコロケートされないことがある。
【００５６】
[0066]再び図４ｂを参照すると、ｅノードＢ４０５−ａおよびｅノードＢ４０５−ｂは、説明したように、１つまたは複数のＬＴＥコンポーネントキャリアに関係し得る、別個のアップリンクリソース許可を介してＰＤＮ４４０へのアクセスをＵＥ４１５に提供することが可能であり得る。したがって、ＵＥ４１５は、デュアル接続性でのキャリアアグリゲーションを伴い得、ここで、一方の接続は１つのネットワークエンティティ（ｅノードＢ４０５−ａ）に対してであり、他方の接続は異なるネットワークエンティティ（ｅノードＢ４０５−ｂ）に対してである。ＰＤＮ４４０へのこのアクセスを使用して、ＵＥ４１５は、ピアエンティティ４５５と通信し得る。ＵＥ４１５は、発展型パケットコア４８０を通してＰＤＮ４４０にアクセスするためにｅノードＢ４０５−ａおよびｅノードＢ４０５−ｂとの接続を使用するスプリットベアラを確立することができる。図示の例では、スプリットベアラは、ＭｅノードＢとしてのｅノードＢ４０５−ａおよびＳｅノードＢとしてのｅノードＢ４０５−ｂと協調して提供される。説明したように、たとえば、ｅノードＢ５０４−ａは、ｅノードＢ４０５−ａおよびｅノードＢ４０５−ｂを介して別個のＲＬＣ／ＭＡＣおよび／または他のレイヤ上で通信することを協調させるためにＰＤＣＰレイヤにおいてスプリットベアラを管理し得る。したがって、たとえば、ｅノードＢ４０５−ａおよび４０５−ｂは、ＥＰＣ４８０に提供するためのＵＥ４１５通信をアグリゲートするために互いに通信することができる。この例では、ＵＥ４１５は、ＰＤＮ４４０にアクセスするためにデータ経路４４５−ａおよび４４５−ｂを介した通信をマッピングすることができる、スプリットベアラを使用することによってＰＤＮ４４０にアクセスすることができる。
【００５７】
[0067]ＭＭＥ４３０は、説明したように、ＵＥ４１５とＥＰＣ４８０との間のシグナリングを処理する制御ノードであり得る。概して、ＭＭＥ４３０は、スプリットベアラの接続性を確立し管理するためのベアラおよび接続管理を行い得る。ＭＭＥ４３０は、したがって、ＵＥ４１５のためのアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５−ａおよび４０５−ｂと通信することができる。ＭＭＥ４３０は、説明したように、ＵＥ４１５をさらに認証し、ＵＥ４１５との非アクセス層（ＮＡＳ）シグナリングを実装し得る。
【００５８】
[0068]ＬＴＥを介して送信されるすべてのユーザＩＰパケットは、ｅノードＢ４０５−ａまたはｅノードＢ４０５−ｂを通してＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。一例では、図示のように、ＭＭＥ４３０は、同じスプリットベアラに関連しているデータに基づいてデータ経路４４５−ａおよび４４５−ｂを介して受信されたデータをアグリゲートすることができ、アグリゲートされたデータをさらなる処理のためにＳＧＷ４３２上に提供することができる。
【００５９】
[0069]したがって、本例では、ＵＥ４１５とＥＰＣ４８０との間のユーザプレーンデータは、ｅノードＢ４０５−ａおよび４０５−ｂのうちの１つまたは複数によって許可されたリソースを介して、ＥＰＳベアラであり得るスプリットベアラを横断し得る。１つまたは複数のＥＰＳベアラのセットに関係するシグナリングまたは制御プレーンデータは、ｅノードＢ４０５−ａまたはｅノードＢ４０５−ｂを経由して、ＵＥ４１５のＬＴＥ無線機４２０とＥＰＣ４８０のＭＭＥ４３０との間で送信され得、ｅノードＢ固有制御プレーンデータまたはベアラ関係制御プレーンデータを含み得る。
【００６０】
[0070]ＬＴＥに関して図４ｂの態様について説明したが、アグリゲーションおよび／または複数の接続に関する同様の態様はまた、ＵＭＴＳまたは他の同様のシステムもしくはネットワークワイヤレス通信無線技術に関して実装され得る。
【００６１】
[0071]図５は、本開示の一態様による、複数接続性キャリアアグリゲーションを概念的に示す図である。ワイヤレス通信システム５００は、ＵＥ５１５をサービスするように構成され得る、マスタセルグループまたはＭＣＧと呼ばれるセルのセットまたはグループを有するマスタｅノードＢ５０５−ａ（ＭｅノードＢまたはＭｅＮＢ）を含み得る。たとえば、ＵＥ５１５は、図６において本明細書でさらに説明するように、１つまたは複数のアクセスポイント（たとえば、ＭｅノードＢ５０５−ａ、ＳｅノードＢ５０５−ｂなど）との１つまたは複数のＣＣに関係する複数のベアラ（たとえば、スプリットおよび／またはネットワークエンティティ固有ベアラ）の優先度付けを、データをそれらにマッピングする際に、決定するためのベアラ通信構成要素６４０を含み得る。ＭＣＧは、１つの１次セル（ＰＣｅｌｌMCG）５１０−ａと、１つまたは複数の２次セル５１０−ｂ（１つのみが示されている）とを含み得る。ワイヤレス通信システム５００はまた、ＵＥ５１５をサービスするように構成され得る、２次セルグループまたはＳＣＧと呼ばれるセルのセットまたはグループを有する２次ｅノードＢ５０５−ｂ（ＳｅノードＢまたはＳｅＮＢ）を含み得る。ＳＣＧは、１つの１次セル（ＰＣｅｌｌSCG）５１２−ａと、１つまたは複数の２次セル５１２−ｂ（１つのみが示されている）とを含み得る。また、複数接続性（たとえば、デュアル接続性）のためにキャリアアグリゲーションをサポートするＵＥ５１５が示されている。ＵＥ５１５は、通信リンク５２５−ａを介してＭｅノードＢ５０５−ａと通信し、通信リンク５２５−ｂを介してＳｅノードＢ５０５−ｂと通信し得る。
【００６２】
[0072]一例では、ＵＥ５１５は、同じｅノードＢからのコンポーネントキャリアをアグリゲートし得るか、またはコロケートされたもしくはコロケートされないｅノードＢからのコンポーネントキャリアをアグリゲートし得る。そのような例では、使用されている様々なセル（たとえば、異なるコンポーネントキャリア（ＣＣ））は、それらが、同じｅノードＢか、または制御情報を通信することができるｅノードＢのいずれかによって扱われるので、容易に協調させられ得る。図５の例のように、ＵＥ５１５が、コロケートされない２つのｅノードＢと通信しているときにキャリアアグリゲーションを実施するとき、キャリアアグリゲーション動作は、様々なネットワーク状態により異なり得る。この場合、２次ｅノードＢ５０５−ｂにおいて１次セル（ＰＣｅｌｌSCG）を確立することは、２次ｅノードＢ５０５−ｂが１次ｅノードＢ５０５−ａとコロケートされなくても、ＵＥ５１５において行われるべき適切な構成および制御を可能にし得る。
【００６３】
[0073]図５の例では、キャリアアグリゲーションは、ＭｅノードＢ５０５−ａのＰＣｅｌｌによるいくつかの機能を伴い得る。たとえば、ＰＣｅｌｌは、少しの例を挙げれば、物理アップリンク制御チャネル（ＰＵＣＣＨ）、競合ベースランダムアクセス制御チャネル（ＲＡＣＨ）、および半永続的スケジューリングなど、いくつかの機能を扱い得る。コロケートされないｅノードＢへのデュアル接続性または複数接続性を用いたキャリアアグリゲーションは、キャリアアグリゲーションが別の方法で実施される様式に対していくつかの拡張および／または変更を行わなければならないことを伴い得る。拡張および／または変更のうちのいくつかは、上記で説明したように、ＵＥ５１５がＭｅノードＢ５０５−ａとＳｅノードＢ５０５−ｂとに接続されることを伴い得る。他の特徴は、たとえば、タイマー調整グループ（ＴＡＧ）にｅノードＢのうちの１つのセルを備えさせることと、競合ベースおよび競合なしランダムアクセス（ＲＡ）をＳｅノードＢ５０５−ｂ上で可能にすることと、ＭｅノードＢ５０５−ａのためのおよびＳｅノードＢ５０５−ｂに対する別個の間欠受信（ＤＲＸ）プロシージャと、ＵＥ５１５に、バッファステータス報告（ＢＳＲ）を１つまたは複数のベアラ（たとえば、ｅノードＢ固有ベアラまたはスプリットベアラ）がサービスされるｅノードＢに対して送らせることと、ならびに２次ｅノードＢ５０５−ｂ中のＰＣｅｌｌSCGに関して電力ヘッドルーム報告（ＰＨＲ）、電力制御、半永続的スケジューリング（ＳＰＳ）、および論理チャネル優先度付けのうちの１つまたは複数を可能にすることと、を含み得る。上記で説明した拡張および／または変更、および本開示で提供される他のものは、限定ではなく例示のためであることが意図される。
【００６４】
[0074]デュアル接続性におけるキャリアアグリゲーションのために、異なる機能はＭｅノードＢ５０５−ａとＳｅノードＢ５０５−ｂとの間で分割され得る。たとえば、異なる機能は、ＭｅノードＢ５０５−ａとＳｅノードＢ５０５−ｂとの間で静的に分割されるか、または１つまたは複数のネットワークパラメータに基づいてＭｅノードＢ５０５−ａとＳｅノードＢ５０５−ｂとの間で動的に分割され得る。一例では、ＭｅノードＢ５０５−ａは、ＰＣｅｌｌを介して、限定はしないが、初期構成、セキュリティ、システム情報、および／または無線リンク障害（ＲＬＦ）に関する機能など、（たとえば、メディアアクセス制御（ＭＡＣ）レイヤの上の）上位レイヤ機能を実施し得る。図５の例において説明するように、ＰＣｅｌｌは、ＭＣＧに属するＭｅノードＢ５０５−ａのセルのうちの１つとして構成され得る。ＰＣｅｌｌは、ＭＣＧ内の下位レイヤ機能（たとえば、ＭＡＣ／ＰＨＹレイヤ）を提供するように構成され得る。
【００６５】
[0075]一例では、ＳｅノードＢ５０５−ｂは、ＳＣＧのための下位レイヤ機能（たとえば、ＭＡＣ／ＰＨＹレイヤ）の構成情報を提供し得る。構成情報は、たとえば、１つまたは複数の無線リソース制御（ＲＲＣ）メッセージとしてＰＣｅｌｌSCGによって提供され得る。ＰＣｅｌｌSCGは、ＳＣＧ中のセルのうちの最低セルインデックス（たとえば、識別子またはＩＤ）を有するように構成され得る。たとえば、ＰＣｅｌｌSCGを介してＳｅノードＢ５０５−ｂによって実施される機能のうちのいくつかは、ＰＵＣＣＨを搬送すること、ＰＣｅｌｌSCGのＤＲＸ構成に従うようにＳＣＧ中のセルを構成すること、ＳｅノードＢ５０５−ｂ上の競合ベースおよび競合なしランダムアクセスのためのリソースを構成すること、ＰＵＣＣＨのための送信電力制御（ＴＰＣ）コマンドを有するダウンリンク（ＤＬ）許可を搬送すること、ＳＣＧ中の他のセルのためにＰＣｅｌｌSCGに基づいて経路損失を推定すること、ＳＣＧに共通探索空間を提供すること、およびＵＥ５１５にＳＰＳ構成情報を提供することを含み得る。
【００６６】
[0076]いくつかの態様では、ＰＣｅｌｌは、たとえば、セキュリティ、ネットワークへの接続、初期接続、および／または無線リンク障害などの上位レベル機能をＵＥ５１５に提供するように構成され得る。ＰＣｅｌｌは、ＭＣＧ中のセルのためのＰＵＣＣＨを搬送すること、ＭＣＧのうちの最低セルインデックスを含むこと、ＭＣＧセルが同じＤＲＸ構成を有することを可能にすること、ＭｅノードＢ５０５−ａ上で競合ベースランダムアクセスと競合なしランダムアクセスの一方または両方のためのランダムアクセスリソースを構成すること、ダウンリンク許可がＰＵＣＣＨのためのＴＰＣコマンドを搬送することを可能にすること、ＭＣＧ中のセルのための経路損失推定を可能にすること、ＭｅノードＢ５０５−ａのための共通探索空間を構成すること、および／またはＳＰＳを構成することを行うように構成され得る。
【００６７】
[0077]いくつかの態様では、ＰＣｅｌｌSCGは、ＳＣＧ中のセルのためのＰＵＣＣＨを搬送すること、ＳＣＧのうちの最低セルインデックスを含むこと、ＳＣＧセルが同じＤＲＸ構成を有することを可能にすること、ＳｅノードＢ５０５−ｂ上で競合ベースランダムアクセスと競合なしランダムアクセスの一方または両方のためのランダムアクセスリソースを構成すること、ダウンリンク許可がＰＵＣＣＨのためのＴＰＣコマンドを搬送することを可能にすること、ＳＣＧ中のセルのための経路損失推定を可能にすること、ＳｅノードＢ５０５−ｂのための共通探索空間を構成すること、および／または半永続的スケジューリングを構成することを行うように構成され得る。
【００６８】
[0078]図５の例に戻ると、ＵＥ５１５は、ＭｅノードＢ５０５−ａおよびＳｅノードＢ５０５−ｂのための並列ＰＵＣＣＨおよびＰＵＳＣＨ構成をサポートし得る。場合によっては、ＵＥ５１５は、両方のキャリアグループに適用可能であり得る（たとえば、ＵＥ５１５ベースの）構成を使用し得る。これらのＰＵＣＣＨ／ＰＵＳＣＨ構成は、たとえば、ＲＲＣメッセージを通して提供され得る。
【００６９】
[0079]ＵＥ５１５はまた、ＭｅノードＢ５０５−ａおよびＳｅノードＢ５０５−ｂについて、肯定応答（ＡＣＫ）／否定応答（ＮＡＣＫ）およびチャネル品質インジケータ（ＣＱＩ）の同時送信のための、およびＡＣＫ／ＮＡＣＫ／サウンディング基準信号（ＳＲＳ）のための並列構成をサポートし得る。場合によっては、ＵＥ５１５は、両方のキャリアグループに適用可能であり得る（たとえば、ＵＥベースおよび／またはＭＣＧもしくはＳＣＧベースの）構成を使用し得る。これらの構成は、たとえば、ＲＲＣメッセージを通して提供され得る。
【００７０】
[0080]図６は、本開示の一態様に従って構成されたＵＥ６１５および構成要素の一例を概念的に示すブロック図６００である。本明細書において図６と併せて説明する図７〜図９は、本開示の態様による例示的な方法７００、８００、９００を示す。図７〜図９において以下で説明する動作は、特定の順序でおよび／または例示的な構成要素によって実施されるものとして提示されるが、アクションの順序およびアクションを実施する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、または説明するアクションまたは機能を実施することが可能なハードウェア構成要素および／またはソフトウェア構成要素の任意の他の組合せによって実施され得ることを理解されたい。
【００７１】
[0081]図６を参照すると、図６００の基地局／ｅノードＢ６０５−ａ（ＰＣｅｌｌをもつＭｅノードＢ）、基地局／ｅノードＢ６０５−ｂ（ＰＣｅｌｌSCGをもつＳｅノードＢ）、およびＵＥ６１５は、上記の様々な図（たとえば、図１、図２、図３、図４ａ、図４ｂ、図５など）に記載されている基地局／ｅノードＢ（またはＡＰ）およびＵＥ、図１０における処理システム１０１４などのうちの１つであり得る。ＭｅノードＢ６０５−ａおよびＵＥ６１５は、通信リンク６２５−ａを介して通信し得る。ＳｅノードＢ６０５−ｂおよびＵＥ６１５は、通信リンク６２５−ｂを介して通信し得る。通信リンク６２５−ａ、６２５−ｂの各々は、図１の通信リンク１２５の一例であり得る。さらに、たとえば、ＵＥ６１５は、ＭｅノードＢ６０５−ａおよびＳｅノードＢ６０５−ｂのリソースを使用してワイヤレスネットワークと通信するために少なくとも１つのスプリットベアラを利用することができ、ならびにＭｅノードＢ６０５−ａのリソースを使用してワイヤレスネットワークと通信するために少なくとも１つのｅノードＢ固有ベアラを利用することができる。説明したように、たとえば、（たとえば、ＰＤＣＰレイヤにおける）ＭｅノードＢ６０５−ａは、（たとえばＭＡＣ／ＲＬＣレイヤにおいて）通信リンク６２５−ｂを介して受信された通信が、通信リンク６２５−ａを介して受信された通信と一緒に処理するためにＭｅノードＢ６０５−ａに提供されるように、スプリットベアラを使用した通信を制御し得る。
【００７２】
[0082]この点について、ベアラの各々が、ＭｅノードＢ６０５−ａおよび／またはＳｅノードＢ６０５−ｂによって構成されたリソースを使用してデータを送信する機会を有することを保証するために、ＵＥ６１５は、ＵＥ６１５とＭｅノードＢ６０５−ａおよび／またはＳｅノードＢ６０５−ｂとの間の様々なベアラを介した通信のためのベアラ優先度付けおよびデータマッピングを管理するためにベアラ通信構成要素６４０を含み得る。たとえば、ベアラ通信構成要素６４０は、この点について方法７００および／もしくは８００で図示および説明されたブロックならびに／または追加機能を実施することができる。ｅノードＢ固有ベアラよりも高い優先度を有するスプリットベアラに関係するものとして図示および説明されているが、これらの概念は、より優先度の低いベアラが送信するための少なくとも何らかの機会を提供されることを保証するために、ベアラ通信構成要素６４０がベアラを介した通信を管理するように、異なる優先度を有する実質的にどんなベアラにも適用され得ることを諒解されたい。
【００７３】
[0083]図７を参照すると、方法７００は、ブロック７１０において、第１のタイプのベアラを介した送信のために利用可能な第１のデータの第１の部分を、第１の基地局から許可された第１のアップリンクリソースにマッピングすることを含む。ベアラ通信構成要素６４０（図６）は、第１のタイプのベアラ（たとえばスプリットベアラ）を介した送信のためのデータの第１の部分を、第１の基地局（たとえば、ＭｅノードＢ６０５−ａ）から許可された第１のアップリンクリソースにマッピングするためのスプリットベアラデータマッピング構成要素６５０を含む。データのマッピングは、ＭｅノードＢ６０５−ａによって提供されるリソースに関係する論理チャネル上で行われ得る。たとえば、データをマッピングすることは、変調および１つまたは複数の送信アンテナを介した送信のためにメディアアクセス制御（ＭＡＣ）レイヤデータユニットをいくつかの時間／周波数リソースに割り当てることを含むことができる。さらに、たとえば、スプリットベアラデータマッピング構成要素６５０は、（たとえば、利用可能なすべてのデータの代わりに）スプリットベアラを介して送信するために利用可能なデータの断片を選択するための断片ベアラデータ選択構成要素６５２を含む。この点について、スプリットベアラデータマッピング構成要素６５０は、以下でさらに詳細に説明するように、（たとえば、スプリットベアラのためのデータのすべてでない）データの断片をＭｅノードＢ６０５−ａ用のアップリンクリソース上にマッピングすることができ、同様に、ＭｅノードＢ６０５−ａへのｅノードＢ固有ベアラのためのデータを残りのアップリンクリソースの少なくとも一部分上にマッピングすることを可能にし得る。
【００７４】
[0084]ベアラ通信構成要素６４０はまた、マッピングを可能にするために、および／またはＭｅノードＢ６０５−ａにＵＬリソースにマッピングされたデータを（たとえば、リンク６２５−ａを介して）送信するために、スプリットベアラデータマッピング構成要素６５０にアップリンクリソースの許可の指示を提供するためのＭｅノードＢ  ＵＬリソース利用構成要素６８０を含むことができる。ベアラ通信構成要素６４０はまた、本明細書でさらに説明するように、マッピングを可能にするために、および／またはＳｅノードＢ６０５−ｂにＵＬリソースを介してデータを（たとえば、リンク６２５−ｂを介して）送信するために、スプリットベアラデータマッピング構成要素６５０にアップリンクリソースの許可の指示を提供するためのＳｅノードＢ  ＵＬリソース利用構成要素６９０を含むことができる。
【００７５】
[0085]一例では、スプリットベアラデータマッピング構成要素６５０は、（たとえば、スプリットベアラのＱｏＳを保証するために）スプリットベアラデータをアップリンクリソースにマッピングするための１つまたは複数の「トークンバケット」を提供するためのトークンバケットオペレーションを利用するトークンバケット管理構成要素６５４を場合によっては含むことができる。たとえば、トークンバケットオペレーションは、典型的には、一定のＱｏＳを提供することに関係するレートで仮想トークンバケット中にトークンを継続的に生成することを可能にし、したがって、トークンバケットは、概して、所与のベアラに相関することができる。トークンはまた、データが送信されると仮想トークンバケットから削除される（たとえば、データは、データが送信されたとき、仮想トークンバケットから削除されたトークンと相関させられる）。利用可能なトークンが所与の送信のために不十分であるとき、これは、送信が意図されたＱｏＳよりも高いレートで行われていることを示すことができ、送信は、ＱｏＳに従って追加のトークンが生成されるまで遅延され得る。一例では、これらのトークンバケットは、データ送信のＱｏＳを管理するためにＭＡＣレイヤにおいて採用され得る。
【００７６】
[0086]この点について、トークンバケット管理構成要素６５４は、以下で説明するように、１つまたは複数のトークンバケットのためのトークンを生成し、削除（または利用）することができる。一例では、トークンバケット管理構成要素６５４は、スプリットベアラデータマッピング構成要素６５０が、スプリットベアラデータをＭｅノードＢ  ＵＬリソースおよび／またはＳｅノードＢ  ＵＬリソース上にマッピングするために共通のトークンバケット６５６からトークンを利用することができるように、スプリットベアラのための共通のトークンバケット６５６を含む。別の例では、トークンバケット管理構成要素６５４は、トークンバケット管理構成要素６５４が、スプリットベアラデータをＭｅノードＢ  ＵＬリソース上にマッピングすることに基づいてＭｅノードＢトークンバケット６５８からトークンを削除し、および／またはスプリットベアラデータをＳｅノードＢ  ＵＬリソース上にマッピングすることに基づいてＳｅノードＢトークンバケット６５９からトークンを削除するように、この例ではＭｅノードＢトークンバケット６５８とＳｅノードＢトークンバケット６５９とを含む、スプリットベアラに関係するｅノードＢごとの別個のトークンバケットを含む。
【００７７】
[0087]方法８００における例は、ベアラデータをアップリンクリソースにマッピングするためにトークンバケットを使用する一例を示す。方法８００は、ブロック８１０において、スプリットベアラのためのトークンバケット中で利用可能な利用可能トークンの断片に少なくとも部分的に基づいて、第１の基地局から許可されたアップリンクリソースへのマッピングのために、スプリットベアラを介した送信のために利用可能な第１のデータの第１の部分を決定することを含む。断片ベアラデータ選択構成要素６５２は、スプリットベアラのためのトークンバケット（たとえば、共通のトークンバケット６５６またはＭｅノードＢトークンバケット６５８）中で利用可能なトークンの断片に少なくとも部分的に基づいて、第１の基地局（たとえばＭｅノードＢ６０５−ａ）から許可されたアップリンクリソースへのマッピングのために、スプリットベアラを介した送信のために利用可能な第１のデータの第１の部分を決定することができる。したがって、共通のトークンバケットが使用されるかまたは別個のトークンバケットが使用されるかにかかわらず、断片ベアラデータ選択構成要素６５２は、スプリットベアラデータをｅノードＢ６０５−ａまたは６０５−ｂのうちの１つまたは複数にマッピングするために、トークンバケットのうちの１つまたは複数中で利用可能なトークンの断片を利用することができる。たとえば、トークンバケット管理構成要素６５４がスプリットベアラ用の共通のトークンバケット６５６を含む場合、断片ベアラデータ選択構成要素６５２は、スプリットベアラデータをＭｅノードＢ６０５−ａのＵＬリソース（たとえば、ＭｅノードＢ  ＵＬリソース利用構成要素６８０によって示されるリソース）にマッピングするのに共通のトークンバケット６５６中で利用可能なトークンの断片を利用することができる。トークンバケット管理構成要素６５４が別個のＭｅノードＢトークンバケット６５８およびＳｅノードＢトークンバケット６５９を含む場合、たとえば、断片ベアラデータ選択構成要素６５２は、スプリットベアラデータをＭｅノードＢ  ６０５−ａのアップリンクリソースにマッピングするのにＭｅノードＢトークンバケット６５８中で利用可能なトークンの断片を利用することができる。
【００７８】
[0088]この例では、断片ベアラデータ選択構成要素６５２は、ＵＥ６１５が複数接続性またはデュアル接続性を使用して動作していると、および／またはＵＥ６１５がＭｅノードＢ６０５−ａとのｅノードＢ固有ベアラを有すると決定し得、それに応じて、説明したように、断片ベアラデータ選択構成要素６５２が、スプリットベアラのためのトークンバケット中で利用可能なトークンの断片に少なくとも部分的に基づいて、スプリットベアラを介した送信のために利用可能な第１のデータの第１の部分を決定することに基づいて、ＭｅノードＢ６０５−ａのＵＬリソースにマッピングされるデータを限定することができる。詳細に説明しないが、断片ベアラデータ選択構成要素６５２は、（たとえば、１つのベアラがスプリットベアラであるなどの場合）リソースが１つまたは複数のベアラによって共有されると決定することに基づいて、他のリソースにマッピングされるデータを同様に限定することができることを諒解されたい。
【００７９】
[0089]再び図７を参照すると、方法７００はまた、ブロック７１２において、第１のアップリンクリソースの残りの部分がまだ利用可能であるかどうかを決定することと、利用可能である場合、ブロック７１４において、第１のアップリンクリソースの残りの部分が利用可能であると決定したことに少なくとも部分的に基づいて、第２のタイプのベアラからの第２のデータを第１のアップリンクリソースの残りの部分の少なくとも第１の部分にマッピングすることとを含む。ベアラ通信構成要素６４０は、第１のアップリンクリソース（たとえば、ＭｅノードＢ６０５−ａに関係するリソース）の残りの部分が利用可能であるかどうかを決定するために、および利用可能である場合、第２のタイプのベアラ（たとえば、ｅノードＢ固有ベアラ）からの第２のデータを第１のアップリンクリソースの残りの部分の少なくとも第１の部分にマッピングするために、ｅノードＢ固有ベアラデータマッピング構成要素６６０を含む。このようにして、スプリットベアラデータの断片をＭｅノードＢ６０５−ａアップリンクリソース上に初期に（たとえば、ブロック７１０、８１０などにおいて）マッピングすることによってこれは、ＭｅノードＢ６０５−ａアップリンクリソースが、スプリットベアラよりも低い優先度であり得るｅノードＢ固有ベアラに関係するデータのためにも利用可能である見込みを増加させ得る。
【００８０】
[0090]ベアラデータをアップリンクリソースにマッピングするためにトークンバケットを使用する特定の例を参照すると、方法８００は、ブロック８１２において、基地局固有ベアラのためのトークンバケット中で利用可能なトークンに少なくとも部分的に基づいて、第１の基地局から許可された残りのアップリンクリソースの少なくとも一部分へのマッピングのために、基地局固有ベアラを介した送信のために利用可能な第２のデータを決定することを含む。ｅノードＢ固有ベアラデータマッピング構成要素６６０は、基地局固有ベアラのためのトークンバケット中で利用可能なトークンに少なくとも部分的に基づいて、第１の基地局から許可された残りのアップリンクリソースの少なくとも部分へのマッピングのために、基地局固有ベアラを介した送信のために利用可能な第２のデータを決定することができる。この点について、たとえば、ｅノードＢ固有ベアラデータマッピング構成要素６６０は、ｅノードＢ固有ベアラからのデータをＭｅノードＢ６０５−ａのアップリンクリソース（たとえば、ＭｅノードＢ  ＵＬリソース利用構成要素６８０によって指定されたリソース）にマッピングするのに、ｅノードＢ固有ベアラ用のトークンバケット（明示的に図示せず）中で利用可能なトークンを利用するために、トークンバケット管理構成要素６６２を場合によっては含み得る。一例では、トークンバケット管理構成要素６６２は、利用可能なトークンを使用するｅノードＢ固有ベアラのためのすべての利用可能なデータ（たとえば、関係するバッファ中のすべてのデータ）をマッピングすることができる。いくつかの例では、ｅノードＢ固有ベアラデータをマッピングした後にも、ＭｅノードＢ６０５−ａの追加のアップリンクリソースが残り得る。いずれの場合も、これは、ｅノードＢ固有データを送信するために少なくともいくつかのリソースが予約されることを保証することができる。
【００８１】
[0091]再び図７を参照すると、方法７００は、場合によっては、ブロック７１６において、第２のデータをリソース上にマッピングした後に第１のアップリンクリソースの追加の残りの部分がまだ利用可能であるかどうかを決定することと、利用可能である場合、ブロック７１８において、第１のアップリンクリソースの追加の残りのリソースが利用可能であると決定したことに少なくとも部分的に基づいて、第１のタイプのベアラを介した送信のために利用可能な第１のデータの第２の部分を第１のアップリンクリソースにマッピングすることとを含む。たとえば、スプリットベアラデータマッピング構成要素６５０は、ｅノードＢ固有ベアラデータマッピング構成要素６６０が第２のデータをＭｅノードＢ６０５−ａ  ＵＬリソース上にマッピングした後に、第１のアップリンクリソース（たとえば、ＭｅノードＢ６０５−ａ  ＵＬリソース）の追加の残りの部分が利用可能であるかどうかを決定することができ、それに応じて、第１のタイプのベアラ（たとえば、スプリットベアラ）を介した送信のために利用可能な第１のデータの第２の部分を第１のアップリンクリソース（たとえば、残りのＭｅノードＢ６０５−ａ  ＵＬリソース）にマッピングすることができる。
【００８２】
[0092]同様に、トークンバケットを採用する特定の例では、方法８００は、場合によっては、ブロック８１４において、スプリットベアラのためのトークンバケット中で利用可能なトークンの別の断片を利用することに少なくとも部分的に基づいて、第１の基地局から許可された残りのアップリンクリソースの別の部分へのマッピングのために第１のデータの第２の部分を決定することを含む。たとえば、スプリットベアラデータマッピング構成要素６５０は、スプリットベアラのためのトークンバケット（たとえば、共通のトークンバケット６５６またはＭｅノードＢトークンバケット６５８）中で利用可能なトークンの別の断片を利用することに少なくとも部分的に基づいて、第１の基地局から許可された残りのアップリンクリソース（たとえば、ＭｅノードＢ６０５−ａ  ＵＬリソース）の別の部分へのマッピングのために第１のデータの第２の部分を決定することができる。したがって、ＭｅノードＢ６０５−ａ  ＵＬリソースが残っている場合、トークンバケット管理構成要素６５４は、データをＭｅノードＢ６０５−ａ  ＵＬリソースにマッピングするのに、スプリットベアラ用の共通のトークンバケット６５６中の、または別個のトークンバケットが使用される場合にはＭｅノードＢトークンバケット６５８からの、トークンの別の部分を使用することができる。
【００８３】
[0093]その上、説明したように、スプリットベアラデータマッピング構成要素６５０はまた、ＳｅノードＢ６０５−ｂ  ＵＬリソースを介した送信のためにスプリットベアラデータをマッピングし得る。したがって、たとえば、スプリットベアラデータマッピング構成要素６５０はまた、（たとえば、ＳｅノードＢ  ＵＬリソース利用構成要素６９０を介して）ＳｅノードＢ６０５−ｂに関係するＵＬ許可情報を受信することができ、代わりに、スプリットベアラのためのデータの一部分をＳｅノードＢ６０５−ｂ  ＵＬリソースにマッピングすることができる。スプリットベアラデータマッピング構成要素６５０がトークンバケットを利用する場合、たとえば、トークンバケット管理構成要素６５４は、スプリットベアラのＱｏＳを提供する際にデータをＳｅノードＢ  ＵＬリソースにマッピングするのに、トークンバケット構成に応じて、共通のトークンバケット６５６からのまたはＳｅノードＢトークンバケット６５９からのトークンを利用することができる。したがって、一例では、ＭｅノードＢ６０５−ａリソースの一部分がｅノードＢ固有データをマッピングするために使用されるので、スプリットベアラデータを送信するのに十分なリソースがＭｅノードＢ６０５−ａで利用可能でない場合、スプリットベアラデータマッピング構成要素６５０は、追加のスプリットベアラデータをＳｅノードＢ６０５−ｂリソースにマッピングすることができる。
【００８４】
[0094]さらに、単一のスプリットベアラと単一のｅノードＢ固有ベアラに関して示されているが、本明細書で説明する態様は、複数のスプリットベアラおよび／または複数のｅノードＢ固有ベアラに同様に適用され得ることを諒解されたい。一例では、ＵＥ６１５は、ベアラごとに別個のスプリットベアラデータマッピング構成要素６５０またはｅノードＢ固有ベアラデータマッピング構成要素６６０を含み得る。
【００８５】
[0095]一例では、断片ベアラデータ選択構成要素６５２は、スプリットベアラについてのＢＳＲ中で報告されるバッファ断片に少なくとも部分的に基づいて、（たとえば、ブロック７１０、８１０などにおけるように）ＭｅノードＢ６０５−ａ  ＵＬリソースにマッピングすべきスプリットベアラデータの断片、またはデータをマッピングするためのトークンの数を決定し得る。たとえば、スプリットベアラ用のバッファが６０％利用されると示される場合、断片ベアラデータ選択構成要素６５２は、バッファ中のデータの６０％として、および／または報告された６０％バッファ利用に基づいて関数または範囲として決定された何らかの割合として、ＭｅノードＢ６０５−ａ  ＵＬリソースにマッピングするためのスプリットベアラデータの断片を決定し得る。さらに、たとえば、断片ベアラデータ選択構成要素６５２は、スプリットベアラデータとともにＭｅノードＢ６０５−ａ  ＵＬリソースを介してＭｅノードＢ６０５−ａのｅノードＢ固有情報（たとえば、無線リンク制御（ＲＬＣ）報告）を送信するために最小量のトークンを予約することに少なくとも部分的に基づいて、スプリットベアラデータをマッピングするためのトークンの断片を決定し得る。
【００８６】
[0096]別の例では、断片ベアラデータ選択構成要素６５２は、ｅノードＢ固有ベアラ用のトークンバケット中のトークンのレベルがしきい値レベルを達するかまたは超えると決定したことに基づいて、（たとえば、ブロック７１０、８１０などにおいて）データまたはトークンの断片を選択するように動作し得る。たとえば、断片ベアラデータ選択構成要素６５２は、トークンバケット管理構成要素６６２によって管理されるトークンバケット中のトークンのレベルを取得するためにｅノードＢ固有ベアラデータマッピング構成要素６６０を照会することができる。（たとえば、明白な比較としてまたはある時間期間にわたって平均化された履歴レベルに基づいて）トークンのレベルがしきい値を上回ると決定することは、ｅノードＢ固有ベアラが、少なくともトークンバケットに関係するＱｏＳを提供していない（たとえば、トークンが入って来ているが、所望のレートでトークンバケットから出ていかない）ことを示し得る。この点について、断片ベアラデータ選択構成要素６５２は、ｅノードＢ固有ベアラのためのデータの少なくとも一部をＭｅノードＢ６０５−ａ  ＵＬリソースにマッピングすることを可能にするために、説明したように、この決定に基づいて、ＭｅノードＢ６０５−ａ  ＵＬリソースを介して送信するためのスプリットベアラデータを、利用可能なデータの断片に限定することができる。その上、一例では、断片ベアラデータ選択構成要素６５２は、ｅノードＢ固有ベアラ用のトークンバケット中のトークンの数に少なくとも部分的に基づいて、（たとえば、ブロック７１０、８１０などにおいて）データまたはトークンの断片をさらに選択し得ることを諒解されたい。
【００８７】
[0097]さらなる例では、トークンバケット管理構成要素６５４が、ＭｅノードＢ６０５−ａおよびＳｅノードＢ６０５−ｂを介してスプリットベアラのＱｏＳを提供するために共通のトークンバケット６５６を使用する場合、断片ベアラデータ選択構成要素６５２は、リンク６２５−ａおよび／またはリンク６２５−ｂの達成可能なまたはさもなければ測定されたスループットに少なくとも部分的に基づいてマッピングするために（たとえば、ブロック７１０、８１０などにおいて）データまたはトークンの断片を決定することができる。説明したように、共通のトークンバケット６５６中のトークンは、スプリットベアラのＱｏＳを提供するためにＵＥ６１５によって（たとえば、トークンバケット管理構成要素６５４によって）生成され得る。たとえば、断片ベアラデータ選択構成要素６５２は、リンク６２５−ａとリンク６２５−ｂとのリンクスループットの比を決定することができ、その比に基づいて所与のリンク上にマッピングするためのデータまたはトークンの断片を選択することができる。たとえば、断片ベアラデータ選択構成要素６５２は、ＭｅノードＢ６０５−ａ  ＵＬリソース上にマッピングするためのデータまたはトークンの比をＮ：１として選択することができ、ここで、断片ベアラデータ選択構成要素６５２は、リンク６２５−ａがリンク６２５−ｂよりもＮ倍高速であると決定する。別の例では、共通のトークンバケット６５６を使用して、断片ベアラデータ選択構成要素６５２は、ＭｅノードＢ６０５−ａに関係するＢＳＲ比と、ＳｅノードＢ６０５−ｂに関係するＢＳＲ比とを比較することに基づいて、（たとえば、ブロック７１０、８１０などにおいて）データまたはトークンの断片を決定することができる（たとえば、断片ベアラデータ選択構成要素６５２は、ＭｅノードＢ６０５−ａのために構成されたＢＳＲの割合に関係する割合として、ＭｅノードＢ６０５−ａ  ＵＬリソース上にマッピングするためのデータまたはトークンの断片を決定することができる）。さらに、たとえば、断片ベアラデータ選択構成要素６５２は、ＢＳＲ中で報告されるデータに基づいて、（たとえば、ブロック７１０、８１０などにおいて）データまたはトークンの断片を決定することができる（たとえば、断片ベアラデータ選択構成要素６５２は、ＭｅノードＢ６０５−ａのためのＲＬＣまたはＰＤＣＰデータに基づいてＭｅノードＢ６０５−ａ  ＵＬリソース上にマッピングするためのデータまたはトークンの断片を決定することができる）。
【００８８】
[0098]いずれの場合も、方法７００はまた、ブロック７２０において、第１のタイプのベアラまたは第２のタイプのベアラを介して第１のデータの第１の部分、第２のデータ、および／または第１のデータの第２の部分を送信することを含むことができる。ベアラ通信構成要素６４０は、第１のタイプのベアラまたは第２のタイプのベアラ（たとえば、スプリットベアラおよび／またはｅノードＢ固有ベアラ）を介して第１のデータの第１の部分、第２のデータ、および／または第１のデータの第２の部分を送信することができる。これは、スプリットベアラデータマッピング構成要素６５０、ｅノードＢ固有ベアラデータマッピング構成要素６６０などによって実施されるように、上記で説明した決定されるマッピングに基づくことができる。
【００８９】
[0099]さらに、いくつかの例では、トークンバケット管理構成要素６５４が、ＭｅノードＢ６０５−ａおよびＳｅノードＢ６０５−ｂを介してスプリットベアラのＱｏＳを提供するために別個のＭｅノードＢトークンバケット６５８およびＳｅノードＢトークンバケット６５９を使用する場合、トークンバケット管理構成要素６５４は、データを第１のリンク以外のリンクのリソース上にマッピングするとき、第１のリンク用のトークンバケット中のトークンを利用し得る。これは、ある意味では、共通のトークンバケットを提供することと同様であり得る。たとえば、スプリットベアラデータマッピング構成要素６５０は、スプリットベアラからのデータをＭｅノードＢ６０５−ａのアップリンクリソース上にマッピングし得るが、マッピングを実施するのにＳｅノードＢトークンバケット６５９からのトークンを利用し得、および／またはその逆も同様である。一例では、トークンバケット管理構成要素６５４は、ＭｅノードＢ６０５−ａ  ＵＬリソースが残っている場合に追加のスプリットベアラデータを送信することを可能にするために、ｅノードＢ固有ベアラからのデータがＭｅノードＢ６０５−ａ  ＵＬリソースにマッピングされるとこの機能を実装することができる。これは、追加のデータがＳｅノードＢ６０５−ｂの代わりにＭｅノードＢ６０５−ａにマッピングされているが、トークンバケット機構を介したＱｏＳのより良いトラッキングを可能にする。しかしながら、ＳｅノードＢトークンバケット６５９からのトークンを使用する際に、トークンバケット管理構成要素６５４は、ＳｅノードＢ  ＵＬリソース利用構成要素６９０を介してＳｅノードＢ６０５−ｂ  ＵＬリソース上にＲＬＣ報告などのＳｅノードＢ６０５−ｂ固有データをマッピング（および送信）するのに最小量のトークンが残っていることを保証することができる。これについて、図９を参照して説明する。
【００９０】
[00100]図９は、データをスプリットベアラにマッピングするためにスプリットベアラトークンバケットおよびｅノードＢ固有ベアラトークンバケットを利用するための方法９００を示す。方法９００は、ブロック９１０において、スプリットベアラのためのトークンバケット中で利用可能なトークンに少なくとも部分的に基づいて、第１の基地局から許可されたアップリンクリソースへのマッピングのために、スプリットベアラを介した送信のために利用可能なデータの第１の部分を決定することを含む。たとえば、スプリットベアラデータマッピング構成要素６５０は、スプリットベアラのためのトークンバケット（たとえば、共通のトークンバケット６５６またはＭｅノードＢトークンバケット６５８）中で利用可能なトークンに少なくとも部分的に基づいて、第１の基地局から許可されたアップリンクリソース（たとえばＭｅノードＢ６０５−ａ  ＵＬリソース）へのマッピングのために、スプリットベアラを介した送信のために利用可能なデータの第１の部分を決定し得る。一例では、データは、スプリットベアラのための利用可能なトークンにマッピングされた後に残っていることがある。
【００９１】
[00101]したがって、方法９００は、ブロック９１２において、基地局固有ベアラのためのトークンバケット中で利用可能なトークンの断片に少なくとも部分的に基づいて、第１の基地局から許可されたアップリンクリソースへのマッピングのために、スプリットベアラを介した送信のために利用可能なデータの第２の部分を決定することを含む。スプリットベアラデータマッピング構成要素６５０は、基地局固有ベアラのためのトークンバケット（たとえば、トークンバケット管理構成要素６６２によって管理されるｅノードＢ固有データベアラのためのトークンバケット）中で利用可能なトークンに少なくとも部分的に基づいて、第１の基地局から許可されたアップリンクリソース（たとえばＭｅノードＢ６０５−ａ  ＵＬリソース）へのマッピングのために、スプリットベアラを介した送信のために利用可能なデータの第２の部分を決定し得る。それに応じて、スプリットベアラデータマッピング構成要素６５０は、ＭｅノードＢ６０５−ａ  ＵＬリソースを介してスプリットベアラデータを送信するためにトークンバケット管理構成要素６６２によって管理されるトークンバケットからのトークンを利用することができる。ただし、そのように行う際に、スプリットベアラデータマッピング構成要素６５０は、トークンバケット管理構成要素６６２が、ＲＬＣ報告などのｅノードＢ固有データを送信するのに少なくとも最小数のトークンを保持することを保証することができる。
【００９２】
[00102]方法９００は、ブロック９１４において、スプリットベアラを介してデータの第１の部分とデータの第２の部分とを送信することをさらに含む。ベアラ通信構成要素６４０は、スプリットベアラを介してデータの第１の部分とデータの第２の部分とを送信することができる。
【００９３】
[00103]図１０は、本開示の一態様に従って構成された処理システム１０１４を利用する装置１０００のための例示的なハードウェア実装形態を概念的に示すブロック図である。処理システム１０１４はベアラ通信構成要素６４０を含む。一例では、装置１０００は、様々な図で説明するＵＥのうちの１つと同じもしくは同様であり得るか、またはそれとともに含まれ得る。この例では、処理システム１０１４は、バス１００２によって概略的に表されるバスアーキテクチャを用いて実装され得る。バス１００２は、処理システム１０１４の特定の適用例および全体的な設計制約に応じて、任意の数の相互接続バスおよびブリッジを含み得る。バス１００２は、プロセッサ１００４によって概略的に表される１つまたは複数のプロセッサ（たとえば、中央処理ユニット（ＣＰＵ）、マイクロコントローラ、特定用途向け集積回路（ＡＳＩＣ）、プログラマブルゲートアレイ（ＦＰＧＡ））、およびコンピュータ可読媒体１００６によって概略的に表されるコンピュータ可読媒体を含む様々な回路を互いにリンクする。バス１００２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１００８は、バス１００２と、信号を受信または送信するための１つまたは複数のアンテナ１０２０に接続されたトランシーバ１０１０との間のインターフェースを提供する。トランシーバ１０１０および１つまたは複数のアンテナ１０２０は、伝送媒体を介して（たとえば、オーバージエアで）様々な他の装置と通信するための機構を提供する。装置の性質に応じて、ユーザインターフェース（ＵＩ）１０１２（たとえば、キーパッド、ディスプレイ、スピーカー、マイクロフォン、ジョイスティック）も提供され得る。
【００９４】
[00104]プロセッサ１００４は、バス１００２を管理することと、コンピュータ可読媒体１００６に記憶されたソフトウェアの実行を含む全般的な処理とを担当する。ソフトウェアは、プロセッサ１００４によって実行されたとき、処理システム１０１４に、特定の装置のための本明細書で説明する様々な機能を実施させる。また、コンピュータ可読媒体１００６は、ソフトウェアを実行するときにプロセッサ１００４によって操作されるデータを記憶するために使用され得る。上記で説明したベアラ通信構成要素６４０は、プロセッサ１００４によって、またはコンピュータ可読媒体１００６によって、またはプロセッサ１００４とコンピュータ可読媒体１００６の任意の組合せによって全体的または部分的に実装され得る。
【００９５】
[00105]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは粒子、光場もしくは光粒子、またはそれらの任意の組合せによって表現され得る。
【００９６】
[00106]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアおよびソフトウェアのこの互換性を明確に示すために、様々な例示的な構成要素、ブロック、モジュール、回路、およびステップについて、上記では概してそれらの機能に関して説明した。そのような機能がハードウェアとして実装されるか、またはソフトウェアとして実装されるかは、特定の適用例および全体的なシステムに課される設計制約に依存する。当業者は、説明した機能を、特定の適用例ごとに様々な方法で実装し得るが、そのような実装の決定は、本開示の範囲からの逸脱を引き起こすと解釈されるべきではない。
【００９７】
[00107]本明細書の開示に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【００９８】
[00108]本明細書の開示に関して説明した方法またはアルゴリズムのステップは、ハードウェアで直接的に、プロセッサによって実行されるソフトウェアモジュールで、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体の中に存在し得る。例示的な記憶媒体は、プロセッサが記憶媒体から情報を読み取り、記憶媒体に情報を書き込むことができるようにプロセッサに結合される。代替として、記憶媒体はプロセッサと一体化であり得る。プロセッサおよび記憶媒体はＡＳＩＣ中に存在し得る。ＡＳＩＣはユーザ端末中に存在し得る。代替として、プロセッサおよび記憶媒体はユーザ端末中に個別構成要素として存在し得る。
【００９９】
[00109]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され、またはコンピュータ可読媒体上に送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態の所望のプログラムコード手段を搬送または記憶するために使用され得、汎用もしくは専用コンピュータ、または汎用もしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１００】
[00110]本開示についての以上の説明は、いかなる当業者も本開示を作成または使用することができるように提供される。本開示への様々な変更は当業者には容易に明らかになり、本明細書で定義された一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
【図１】
2017513368.tif 000003
【図２】
2017513368.tif 000004
【図３】
2017513368.tif 000005
【図４ａ】
2017513368.tif 000006
【図４ｂ】
2017513368.tif 000007
【図５】
2017513368.tif 000008
【図６】
2017513368.tif 000009
【図７】
2017513368.tif 000010
【図８】
2017513368.tif 000011
【図９】
2017513368.tif 000012
【図１０】
2017513368.tif 000013
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
第１のタイプのベアラを介した送信のために利用可能な第１のデータの第１の部分を、第１の基地局から許可された第１のアップリンクリソースにマッピングすることと、ここにおいて、前記第１のタイプのベアラが、前記第１の基地局と第２の基地局とを使用する送信のために構成され、第１のデータの前記第１の部分が、前記第１のタイプのベアラを介した送信のために利用可能な前記第１のデータのすべてよりも少なく、
前記第１のデータの前記第１の部分をマッピングすることの後に前記第１のアップリンクリソースの残りの部分が利用可能であるかどうかを決定することと、
前記第１のアップリンクリソースの前記残りの部分が利用可能であると決定することに少なくとも部分的に基づいて、第２のタイプのベアラからの第２のデータを前記第１のアップリンクリソースの前記残りの部分の少なくとも第１の部分にマッピングすることと
を備える、ワイヤレス通信のための方法。
【請求項２】
前記第２のデータをマッピングすることの後に前記第１のアップリンクリソースの第２の残りの部分が利用可能であるかどうかを決定することと、
前記第１のアップリンクリソースの前記第２の残りの部分が利用可能であると決定することに少なくとも部分的に基づいて、前記第１のタイプのベアラを介した送信のために利用可能な前記第１のデータの第２の部分を前記第１のアップリンクリソースにマッピングすることと
をさらに備える、請求項１に記載の方法。
【請求項３】
前記第１のデータの前記第１の部分を前記マッピングすることが、前記第１のタイプのベアラに関係するトークンバケット中の利用可能なトークンの断片を利用することに少なくとも部分的に基づく、請求項１に記載の方法。
【請求項４】
前記トークンバケットが、前記第１の基地局の前記第１のアップリンクリソースと前記第２の基地局の第２のアップリンクリソースとを介して前記第１のタイプのベアラにサービス品質を提供するのに利用される共通のトークンバケットである、請求項３に記載の方法。
【請求項５】
前記第１のタイプのベアラについてのバッファステータス報告の断片に少なくとも部分的に基づいて、利用可能なトークンの前記断片を決定することをさらに備える、請求項４に記載の方法。
【請求項６】
前記第１のアップリンクリソースを介して前記第１の基地局についての基地局固有データをマッピングするために利用可能なトークンの数を予約することに部分的に基づいて、前記利用可能なトークンの前記断片を決定することをさらに備える、請求項４に記載の方法。
【請求項７】
前記第１の基地局との第１のリンクおよび前記第２の基地局との第２のリンクを介したそれぞれの達成可能なスループットに少なくとも部分的に基づいて、利用可能なトークンの前記断片を決定することをさらに備える、請求項４に記載の方法。
【請求項８】
前記第２のタイプのベアラのための別のトークンバケット中のトークンの数がしきい値レベルを上回ると決定することに少なくとも部分的に基づいて、利用可能なトークンの前記断片を決定することをさらに備える、請求項３に記載の方法。
【請求項９】
前記第１のタイプのベアラの他のデータを、前記第２の基地局から許可された第２のアップリンクリソースにマッピングするのに利用するための第２のトークンバケットをさらに備える、請求項３に記載の方法。
【請求項１０】
前記第２のトークンバケットからのトークンの一部分を利用することに少なくとも部分的に基づいて、前記第１のデータの第２の部分を、前記第１の基地局から許可された前記第１のアップリンクリソースにマッピングすることをさらに備える、請求項９に記載の方法。
【請求項１１】
前記第２のトークンバケットからのトークンの前記一部分を利用することは、最小数のトークンが前記第２のトークンバケット中に残っていることを保証することを備える、請求項１０に記載の方法。
【請求項１２】
前記第２のタイプのベアラからの前記第２のデータを、前記第１の基地局から許可された前記アップリンクリソースにマッピングすることに少なくとも部分的に基づいて、前記第１のデータの前記第２の部分をマッピングする際に前記第２のトークンバケット中のトークンの前記一部分を利用すると決定することをさらに備える、請求項１０に記載の方法。
【請求項１３】
前記第１の基地局に前記第１のアップリンクリソースを介してマッピングされた前記第１のデータの前記第１の部分と前記第２のデータとを送信することをさらに備える、請求項１に記載の方法。
【請求項１４】
前記第１のタイプのベアラが前記第２のタイプのベアラよりも高い優先度である、請求項１に記載の方法。
【請求項１５】
第１のタイプのベアラを介した送信のために利用可能な第１のデータの第１の部分を、第１の基地局から許可された第１のアップリンクリソースにマッピングするように構成されたスプリットベアラデータマッピング構成要素と、ここにおいて、前記第１のタイプのベアラが、前記第１の基地局と第２の基地局とを使用する送信のために構成され、第１のデータの前記第１の部分が、前記第１のタイプのベアラを介した送信のために利用可能な前記第１のデータのすべてよりも少なく、
前記第１のデータの前記第１の部分をマッピングした後に前記第１のアップリンクリソースの残りの部分が利用可能であるかどうかを決定し、前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングするように構成されたｅノードＢ固有ベアラデータマッピング構成要素と
を備える、ワイヤレス通信のための装置。
【請求項１６】
前記スプリットベアラデータマッピング構成要素は、前記第２のデータをマッピングした後に前記第１のアップリンクリソースの第２の残りの部分が利用可能であるかどうかを決定し、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングするようにさらに構成された、請求項１５に記載の装置。
【請求項１７】
前記スプリットベアラデータマッピング構成要素が、前記第１のタイプのベアラに関係するトークンバケット中の利用可能なトークンの断片を利用することに少なくとも部分的に基づいて前記第１のデータの前記第１の部分をマッピングするように構成された、請求項１５に記載の装置。
【請求項１８】
前記トークンバケットが、前記第１の基地局の前記第１のアップリンクリソースと前記第２の基地局の第２のアップリンクリソースとを介して前記第１のタイプのベアラにサービス品質を提供するのに利用される共通のトークンバケットである、請求項１７に記載の装置。
【請求項１９】
前記スプリットベアラデータマッピング構成要素が、前記第１のタイプのベアラについてのバッファステータス報告の断片、前記第１のアップリンクリソースを介して前記第１の基地局についての基地局固有データをマッピングするために利用可能なトークンの数を予約すること、または前記第１の基地局との第１のリンクおよび前記第２の基地局との第２のリンクを介したそれぞれの達成可能なスループットのうちの少なくとも１つに少なくとも部分的に基づいて、前記利用可能なトークンの前記断片を決定するように構成された、請求項１８に記載の装置。
【請求項２０】
前記スプリットベアラデータマッピング構成要素は、前記第２のタイプのベアラのための別のトークンバケット中のトークンの数がしきい値レベルを上回ると決定したことに少なくとも部分的に基づいて、利用可能なトークンの前記断片を決定するように構成された、請求項１７に記載の装置。
【請求項２１】
前記第１のタイプのベアラの他のデータを、前記第２の基地局から許可された第２のアップリンクリソースにマッピングするのに利用するための第２のトークンバケットをさらに備える、請求項１７に記載の装置。
【請求項２２】
前記スプリットベアラデータマッピング構成要素が、前記第２のトークンバケットからのトークンの一部分を利用することに少なくとも部分的に基づいて、前記第１のデータの第２の部分を、前記第１の基地局から許可された前記第１のアップリンクリソースにマッピングするように構成された、請求項２１に記載の装置。
【請求項２３】
前記スプリットベアラデータマッピング構成要素は、少なくとも部分的には、最小数のトークンが前記第２のトークンバケット中に残っていることを保証することによって、前記第２のトークンバケットからのトークンの前記一部分を利用するように構成された、請求項２２に記載の装置。
【請求項２４】
前記スプリットベアラデータマッピング構成要素は、前記第２のタイプのベアラからの前記第２のデータを、前記第１の基地局から許可された前記アップリンクリソースにマッピングすることに少なくとも部分的に基づいて、前記第１のデータの前記第２の部分をマッピングするのに前記第２のトークンバケット中のトークンの前記一部分を利用するように構成された、請求項２２に記載の装置。
【請求項２５】
第１のタイプのベアラを介した送信のために利用可能な第１のデータの第１の部分を、第１の基地局から許可された第１のアップリンクリソースにマッピングするための手段と、ここにおいて、前記第１のタイプのベアラが、前記第１の基地局と第２の基地局とを使用する送信のために構成され、第１のデータの前記第１の部分が、前記第１のタイプのベアラを介した送信のために利用可能な前記第１のデータのすべてよりも少なく、
前記第１のデータの前記第１の部分をマッピングした後に前記第１のアップリンクリソースの残りの部分が利用可能であるかどうかを決定するための手段と、
前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングするための手段と
を備える、ワイヤレス通信のための装置。
【請求項２６】
決定するための前記手段は、前記第２のデータをマッピングした後に前記第１のアップリンクリソースの第２の残りの部分が利用可能であるかどうかを決定し、前記第１のデータの前記第１の部分をマッピングするための前記手段は、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングする、請求項２５に記載の装置。
【請求項２７】
前記第１のデータの前記第１の部分をマッピングするための前記手段が、前記第１のタイプのベアラに関係するトークンバケット中の利用可能なトークンの断片を利用することに少なくとも部分的に基づいて前記第１のデータの前記第１の部分をマッピングする、請求項２５に記載の装置。
【請求項２８】
第１のタイプのベアラを介した送信のために利用可能な第１のデータの第１の部分を、第１の基地局から許可された第１のアップリンクリソースにマッピングすることを少なくとも１つのコンピュータに行わせるためのコードと、ここにおいて、前記第１のタイプのベアラが、前記第１の基地局と第２の基地局とを使用する送信のために構成され、第１のデータの前記第１の部分が、前記第１のタイプのベアラを介した送信のために利用可能な前記第１のデータのすべてよりも少なく、
前記第１のデータの前記第１の部分をマッピングした後に前記第１のアップリンクリソースの残りの部分が利用可能であるかどうかを決定することを前記少なくとも１つのコンピュータに行わせるためのコードと、
前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングすることを前記少なくとも１つのコンピュータに行わせるためのコードと
を備える非一時的コンピュータ可読記憶媒体。
【請求項２９】
決定することを前記少なくとも１つのコンピュータに行わせるための前記コードは、前記第２のデータをマッピングした後に前記第１のアップリンクリソースの第２の残りの部分が利用可能であるかどうかを決定し、前記第１のデータの前記第１の部分をマッピングすることを前記少なくとも１つのコンピュータに行わせるための前記コードは、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングする、請求項２８に記載のコンピュータ可読媒体。
【請求項３０】
前記第１のデータの前記第１の部分をマッピングすることを前記少なくとも１つのコンピュータに行わせるための前記コードが、前記第１のタイプのベアラに関係するトークンバケット中の利用可能なトークンの断片を利用することに少なくとも部分的に基づいて前記第１のデータの前記第１の部分をマッピングする、請求項２８に記載のコンピュータ可読媒体。
【手続補正２】
【補正対象書類名】明細書
【補正対象項目名】０１００
【補正方法】変更
【補正の内容】
【０１００】
[00110]本開示についての以上の説明は、いかなる当業者も本開示を作成または使用することができるように提供される。本開示への様々な変更は当業者には容易に明らかになり、本明細書で定義された一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
第１のタイプのベアラを介した送信のために利用可能な第１のデータの第１の部分を、第１の基地局から許可された第１のアップリンクリソースにマッピングすることと、ここにおいて、前記第１のタイプのベアラが、前記第１の基地局と第２の基地局とを使用する送信のために構成され、
前記第１のデータの前記第１の部分をマッピングすることの後に前記第１のアップリンクリソースの残りの部分が利用可能であるかどうかを決定することと、
前記第１のアップリンクリソースの前記残りの部分が利用可能であると決定することに少なくとも部分的に基づいて、第２のタイプのベアラからの第２のデータを前記第１のアップリンクリソースの前記残りの部分の少なくとも第１の部分にマッピングすることとを備える、ワイヤレス通信のための方法。
［Ｃ２］
前記第２のデータをマッピングすることの後に前記第１のアップリンクリソースの第２の残りの部分が利用可能であるかどうかを決定することと、
前記第１のアップリンクリソースの前記第２の残りの部分が利用可能であると決定することに少なくとも部分的に基づいて、前記第１のタイプのベアラを介した送信のために利用可能な前記第１のデータの第２の部分を前記第１のアップリンクリソースにマッピングすることと
をさらに備える、Ｃ１に記載の方法。
［Ｃ３］
前記第１のデータの前記第１の部分を前記マッピングすることが、前記第１のタイプのベアラに関係するトークンバケット中の利用可能なトークンの断片を利用することに少なくとも部分的に基づく、Ｃ１に記載の方法。
［Ｃ４］
前記トークンバケットが、前記第１の基地局の前記第１のアップリンクリソースと前記第２の基地局の第２のアップリンクリソースとを介して前記第１のタイプのベアラにサービス品質を提供するのに利用される共通のトークンバケットである、Ｃ３に記載の方法。
［Ｃ５］
前記第１のタイプのベアラについてのバッファステータス報告の断片に少なくとも部分的に基づいて、利用可能なトークンの前記断片を決定することをさらに備える、Ｃ４に記載の方法。
［Ｃ６］
前記第１のアップリンクリソースを介して前記第１の基地局についての基地局固有データをマッピングするために利用可能なトークンの数を予約することに部分的に基づいて、前記利用可能なトークンの前記断片を決定することをさらに備える、Ｃ４に記載の方法。
［Ｃ７］
前記第１の基地局との第１のリンクおよび前記第２の基地局との第２のリンクを介したそれぞれの達成可能なスループットに少なくとも部分的に基づいて、利用可能なトークンの前記断片を決定することをさらに備える、Ｃ４に記載の方法。
［Ｃ８］
前記第２のタイプのベアラのための別のトークンバケット中のトークンの数がしきい値レベルを上回ると決定することに少なくとも部分的に基づいて、利用可能なトークンの前記断片を決定することをさらに備える、Ｃ３に記載の方法。
［Ｃ９］
前記第１のタイプのベアラの他のデータを、前記第２の基地局から許可された第２のアップリンクリソースにマッピングするのに利用するための第２のトークンバケットをさらに備える、Ｃ３に記載の方法。
［Ｃ１０］
前記第２のトークンバケットからのトークンの一部分を利用することに少なくとも部分的に基づいて、前記第１のデータの第２の部分を、前記第１の基地局から許可された前記第１のアップリンクリソースにマッピングすることをさらに備える、Ｃ９に記載の方法。
［Ｃ１１］
前記第２のトークンバケットからのトークンの前記一部分を利用することは、最小数のトークンが前記第２のトークンバケット中に残っていることを保証することを備える、Ｃ１０に記載の方法。
［Ｃ１２］
前記第２のタイプのベアラからの前記第２のデータを、前記第１の基地局から許可された前記アップリンクリソースにマッピングすることに少なくとも部分的に基づいて、前記第１のデータの前記第２の部分をマッピングする際に前記第２のトークンバケット中のトークンの前記一部分を利用すると決定することをさらに備える、Ｃ１０に記載の方法。
［Ｃ１３］
前記第１の基地局に前記第１のアップリンクリソースを介してマッピングされた前記第１のデータの前記第１の部分と前記第２のデータとを送信することをさらに備える、Ｃ１に記載の方法。
［Ｃ１４］
前記第１のタイプのベアラが前記第２のタイプのベアラよりも高い優先度である、Ｃ１に記載の方法。
［Ｃ１５］
第１のタイプのベアラを介した送信のために利用可能な第１のデータの第１の部分を、第１の基地局から許可された第１のアップリンクリソースにマッピングするように構成されたスプリットベアラデータマッピング構成要素と、ここにおいて、前記第１のタイプのベアラが、前記第１の基地局と第２の基地局とを使用する送信のために構成され、
前記第１のデータの前記第１の部分をマッピングした後に前記第１のアップリンクリソースの残りの部分が利用可能であるかどうかを決定し、前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングするように構成されたｅノードＢ固有ベアラデータマッピング構成要素と
を備える、ワイヤレス通信のための装置。
［Ｃ１６］
前記スプリットベアラデータマッピング構成要素は、前記第２のデータをマッピングした後に前記第１のアップリンクリソースの第２の残りの部分が利用可能であるかどうかを決定し、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングするようにさらに構成された、Ｃ１５に記載の装置。
［Ｃ１７］
前記スプリットベアラデータマッピング構成要素が、前記第１のタイプのベアラに関係するトークンバケット中の利用可能なトークンの断片を利用することに少なくとも部分的に基づいて前記第１のデータの前記第１の部分をマッピングするように構成された、Ｃ１５に記載の装置。
［Ｃ１８］
前記トークンバケットが、前記第１の基地局の前記第１のアップリンクリソースと前記第２の基地局の第２のアップリンクリソースとを介して前記第１のタイプのベアラにサービス品質を提供するのに利用される共通のトークンバケットである、Ｃ１７に記載の装置。
［Ｃ１９］
前記スプリットベアラデータマッピング構成要素が、前記第１のタイプのベアラについてのバッファステータス報告の断片、前記第１のアップリンクリソースを介して前記第１の基地局についての基地局固有データをマッピングするために利用可能なトークンの数を予約すること、または前記第１の基地局との第１のリンクおよび前記第２の基地局との第２のリンクを介したそれぞれの達成可能なスループットのうちの少なくとも１つに少なくとも部分的に基づいて、前記利用可能なトークンの前記断片を決定するように構成された、Ｃ１８に記載の装置。
［Ｃ２０］
前記スプリットベアラデータマッピング構成要素は、前記第２のタイプのベアラのための別のトークンバケット中のトークンの数がしきい値レベルを上回ると決定したことに少なくとも部分的に基づいて、利用可能なトークンの前記断片を決定するように構成された、Ｃ１７に記載の装置。
［Ｃ２１］
前記第１のタイプのベアラの他のデータを、前記第２の基地局から許可された第２のアップリンクリソースにマッピングするのに利用するための第２のトークンバケットをさらに備える、Ｃ１７に記載の装置。
［Ｃ２２］
前記スプリットベアラデータマッピング構成要素が、前記第２のトークンバケットからのトークンの一部分を利用することに少なくとも部分的に基づいて、前記第１のデータの第２の部分を、前記第１の基地局から許可された前記第１のアップリンクリソースにマッピングするように構成された、Ｃ２１に記載の装置。
［Ｃ２３］
前記スプリットベアラデータマッピング構成要素は、少なくとも部分的には、最小数のトークンが前記第２のトークンバケット中に残っていることを保証することによって、前記第２のトークンバケットからのトークンの前記一部分を利用するように構成された、Ｃ２２に記載の装置。
［Ｃ２４］
前記スプリットベアラデータマッピング構成要素は、前記第２のタイプのベアラからの前記第２のデータを、前記第１の基地局から許可された前記アップリンクリソースにマッピングすることに少なくとも部分的に基づいて、前記第１のデータの前記第２の部分をマッピングするのに前記第２のトークンバケット中のトークンの前記一部分を利用するように構成された、Ｃ２２に記載の装置。
［Ｃ２５］
第１のタイプのベアラを介した送信のために利用可能な第１のデータの第１の部分を、第１の基地局から許可された第１のアップリンクリソースにマッピングするための手段と、ここにおいて、前記第１のタイプのベアラが、前記第１の基地局と第２の基地局とを使用する送信のために構成され、
前記第１のデータの前記第１の部分をマッピングした後に前記第１のアップリンクリソースの残りの部分が利用可能であるかどうかを決定するための手段と、
前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングするための手段と
を備える、ワイヤレス通信のための装置。
［Ｃ２６］
決定するための前記手段は、前記第２のデータをマッピングした後に前記第１のアップリンクリソースの第２の残りの部分が利用可能であるかどうかを決定し、前記第１のデータの前記第１の部分をマッピングするための前記手段は、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングする、Ｃ２５に記載の装置。
［Ｃ２７］
前記第１のデータの前記第１の部分をマッピングするための前記手段が、前記第１のタイプのベアラに関係するトークンバケット中の利用可能なトークンの断片を利用することに少なくとも部分的に基づいて前記第１のデータの前記第１の部分をマッピングする、Ｃ２５に記載の装置。
［Ｃ２８］
第１のタイプのベアラを介した送信のために利用可能な第１のデータの第１の部分を、第１の基地局から許可された第１のアップリンクリソースにマッピングすることを少なくとも１つのコンピュータに行わせるためのコードと、ここにおいて、前記第１のタイプのベアラが、前記第１の基地局と第２の基地局とを使用する送信のために構成され、
前記第１のデータの前記第１の部分をマッピングした後に前記第１のアップリンクリソースの残りの部分が利用可能であるかどうかを決定することを前記少なくとも１つのコンピュータに行わせるためのコードと、
前記第１のアップリンクリソースの前記残りの部分が利用可能であると決定したことに少なくとも部分的に基づいて、第２のタイプのベアラからの第２のデータを前記第１のアップリンクリソースの前記残りの部分の少なくとも第１の部分にマッピングすることを前記少なくとも１つのコンピュータに行わせるためのコードと
を備える非一時的コンピュータ可読記憶媒体。
［Ｃ２９］
決定することを前記少なくとも１つのコンピュータに行わせるための前記コードは、前記第２のデータをマッピングした後に前記第１のアップリンクリソースの第２の残りの部分が利用可能であるかどうかを決定し、前記第１のデータの前記第１の部分をマッピングすることを前記少なくとも１つのコンピュータに行わせるための前記コードは、前記第１のアップリンクリソースの前記第２の残りの部分が利用可能であると決定したことに少なくとも部分的に基づいて、前記第１のタイプのベアラを介した送信のために利用可能な前記第１のデータの第２の部分を前記第１のアップリンクリソースにマッピングする、Ｃ２８に記載のコンピュータ可読媒体。
［Ｃ３０］
前記第１のデータの前記第１の部分をマッピングすることを前記少なくとも１つのコンピュータに行わせるための前記コードが、前記第１のタイプのベアラに関係するトークンバケット中の利用可能なトークンの断片を利用することに少なくとも部分的に基づいて前記第１のデータの前記第１の部分をマッピングする、Ｃ２８に記載のコンピュータ可読媒体。
【国際調査報告】
2017513368.tif 000014
2017513368.tif 000015
2017513368.tif 000016
2017513368.tif 000017